(57)【特許請求の範囲】
【請求項１】
ワイヤレス通信のためのワイヤレス通信装置によって実行される方法であって、
データ伝送のためにユーザ装置（ｕｓｅｒ  ｅｑｕｉｐｍｅｎｔ：ＵＥ）に分配されるラジオリソースを示す第１のパラメータを得ることと、
データ伝送のために前記ＵＥに割り当てられる他のリソースを示す第２のパラメータを得ることと、
ここで、前記第１および前記第２のパラメータの少なくとも１つは制限され、かつ各々制限されたパラメータは、前記パラメータに対してすべての利用可能な値の中の1組の許可された値に制限され、
前記ＵＥに分配するべきラジオリソースの最小量を示す第３のパラメータを決定すること、
前記第１、前記第２、および前記第３のパラメータに基づいてデータ伝送のために前記ＵＥに割り当てられる肯定応答（ＡＣＫ）リソースを決定することと
を備え、
前記の前記第３のパラメータを決定することが、
利用可能なＡＣＫリソースの量を示す第４のパラメータを得ることと、
利用可能なラジオリソースの量を示す第５のパラメータを得ることと、
前記第４および前記第５のパラメータに基づいて前記第３のパラメータを得ること
を含む、方法。
【請求項２】
前記第１のパラメータが、データ伝送のために前記ＵＥに分配された少なくとも１つの物理的リソースブロック（ＰＲＢ）の最小のインデックスを含む、請求項１の方法。
【請求項３】
前記第２のパラメータが、データ伝送のために前記ＵＥに対して割り当てられた参照信号列のサイクリックシフトを含む請求項１の方法。
【請求項４】
前記第２のパラメータに許可された値の前記組は、Ｍウェイ空間分割多元接続（ＳＤＭＡ）の０からＭ−１までの範囲内の値を含み、
ここでＭが１またはそれより大きい、請求項３の方法。
【請求項５】
前記参照信号列のＭ個の異なるサイクリックシフトは、第２のパラメータにＭ個の許可された値に関係し、前記Ｍ個のサイクリックシフトの間の間隔はＭに依存している、請求項４の方法。
【請求項６】
前記第１のパラメータの連続的な値は、利用可能なＡＣＫリソースの連続的なインデックスにマッピングされ、前記第２のパラメータの各々許可された値は、異なるスタートのＡＣＫリソースのインデックスに関係する、請求項１の方法。
【請求項７】
前記第２のパラメータの1番目に許可された値に対して、前記第１のパラメータの連続的に増加する値が、最小のＡＣＫリソースのインデックスからスタートする利用可能なＡＣＫリソースの連続的に増加するインデックスにマッピングされ、前記第２のパラメータの２番目に許可された値に対して、前記第１のパラメータの連続的に増加する値は、最大のＡＣＫリソースのインデックスからスタートする前記利用可能なＡＣＫリソースの連続的に減少するインデックスにマッピングされる、請求項１の方法。
【請求項８】
前記第３のパラメータは、さらに、Ｍウェイ空間分割多元接続（ＳＤＭＡ）に基づいて決定され、ここでＭは１またはそれより大きい、請求項１の方法。
【請求項９】
前記の前記第３のパラメータを決定することは、ダウンリンクの搬送波にマッピングされるアップリンクの搬送波の数に基づいて前記第３のパラメータを決定することを備える、請求項１の方法。
【請求項１０】
前記ＡＣＫリソースを決定することは、
前記第１、第２、および第３のパラメータに基づいて中間のインデックスを決定することと、
前もって決定されたマッピングに基づいてＵＥに割り当てられたＡＣＫリソースのインデックスに対して前記中間のインデックスをマッピングすること
を備え、
前記中間のインデックスは、
【数１】
0005431456.tif 000128
に従って決定され、
ここで、
【数２】
0005431456.tif 000129
は、前記第１のパラメータであり、
Ｉoffsetは、前記第２のパラメータに基づいて決定されたオフセットであり、
ｌadjacent_1は、非ＳＤＭＡに対する前記第３のパラメータであり、
【数３】
0005431456.tif 000130
は、前記中間のインデックスである、
請求項１の方法。
【請求項１１】
前記ＡＣＫリソースを決定することは、
前記第１および第２のパラメータに基づいて中間のインデックスを決定することと、
前もって決定されたマッピングに基づいて前記ＵＥに割り当てられた前記ＡＣＫリソースのインデックスに対して前記中間のインデックスをマッピングすること
を備え、
ここで、前記中間のインデックスは、
【数４】
0005431456.tif 000131
に従って決定され、
ここで、
【数５】
0005431456.tif 000132
は、前記第１のパラメータであり、
ｎＤＭＲＳは、前記第２のパラメータであり、
Ｉoffsetは、前記第２のパラメータに基づいて決定されたオフセットであり、
Ｉmaxは、最大のＡＣＫリソースのインデックスであり、
【数６】
0005431456.tif 000133
は、前記中間のインデックスである、請求項１の方法。
【請求項１２】
前記第３のパラメータが、前記第１および前記第２のパラメータを利用可能なＡＣＫリソースにマッピングすることにおける衝突を回避するために選択される、請求項１の方法。
【請求項１３】
前記第２のパラメータのために許可された値の前記組は、前記第１および第２のパラメータを利用可能なＡＣＫリソースにマッピングすることにおける衝突を回避するために選択される、請求項１の方法。
【請求項１４】
前記ＵＥに分配される前記ラジオリソースのデータを送ることと、
前記ＵＥに割り当てられた前記ＡＣＫリソースのデータについてのＡＣＫ情報を受け取ることを
をさらに含む、請求項１に記載の方法。
【請求項１５】
前記ＵＥに分配された前記ラジオリソースのデータを受け取ることと、
前記ＵＥに割り当てられた前記ＡＣＫリソースのデータについてのＡＣＫ情報を送ること
をさらに含む、請求項１の方法。
【請求項１６】
前記ＡＣＫリソースは、
物理的なＨＡＲＱ指示チャンネル（ＰＨＩＣＨ）のための直交系列のインデックスとＰＨＩＣＨのグループのインデックスとをさらに備える、請求項１の方法。
【請求項１７】
ワイヤレス通信のための装置であって、
データ伝送のためにユーザ装置（ＵＥ）に分配されたラジオのリソースを示す第１のパラメータを得る手段と；
データ伝送のために前記ＵＥに割り当てられる他のリソースを示す第２のパラメータを得る手段と、なお、ここで、前記第１および前記第２のパラメータの少なくとも１つが制限され、各制限されたパラメータは、パラメータに対してすべてに利用可能な値の内の1組の許可された値に制限される；
前記ＵＥに分配するラジオリソースの最小量を示す第３のパラメータを決定する手段と；
前記第１、前記第２、および第３のパラメータに基づいてデータ伝送のために前記ＵＥに割り当てられる肯定応答（ＡＣＫ）リソースを決定する手段と；
を備え、
前記第３のパラメータを決定する前記手段は、
利用可能なＡＣＫリソースの量を示す第４のパラメータを得る手段と、
利用可能なラジオリソースの量を示す第５のパラメータを得る手段と、
前記第４と前記第５のパラメータに基づいて前記第３のパラメータを決定する手段と
を備える、装置。
【請求項１８】
前記第１のパラメータが、データ伝送のために前記ＵＥに分配された少なくとも１つの物理的リソースブロック（ＰＲＢ）の最小のインデックスを備える、請求項１７の装置。
【請求項１９】
前記第２のパラメータが、データ伝送のために前記ＵＥに割り当てられた参照信号列のサイクリックシフトを備え、前記第２のパラメータの許可されたその前記組の値は、Ｍウェイ空間分割多重接続（ＳＤＭＡ）の０からＭ−１の範囲内の値を備え、Ｍが１またはそれより大きい、請求項１７の装置。
【請求項２０】
前記第１のパラメータの連続した値は、利用可能なＡＣＫリソースの連続のインデックスにマッピングされ、前記第２のパラメータの各々許可された値の各々は異なるスタートのＡＣＫリソースのインデックスに関係する、請求項１７の装置。
【請求項２１】
前記第２のパラメータの１番目に許可された値に対して、前記第１のパラメータの連続的に増加する値が、最小のＡＣＫリソースのインデックスからスタートする利用可能なＡＣＫリソースの連続的に増加するインデックスにマッピングされ、かつ、第２のパラメータの２番目に許可された値に対して、前記第１のパラメータの連続的に増加する値が、最大のＡＣＫリソースのインデックスからスタートする前記利用可能なＡＣＫリソースの連続的に減少するインデックスにマッピングされる、請求項１７の装置。
【請求項２２】
ワイヤレス通信のための装置であって、
データ伝送のためにユーザ装置（ＵＥ)に分配されたラジオリソースを示す第１のパラメータを得るように、データ伝送のために前記ＵＥに割り当てられる別のリソースを示す第２のパラメータを得るように、ここで、前記第１および前記第２のパラメータ少なくとも１つは、制限され、各々制限されたパラメータは、前記パラメータに対して利用可能なすべての値の間の１組の許可された値に制限されており、前記ＵＥに分配するラジオリソースの最小量を示す第３のパラメータを決定し、さらに前記第３のパラメータに基づいてＡＣＫリソースを決定するように、かつ前記第１、第２、および第３のパラメータに基づいてデータ伝送のために前記ＵＥに割り当てられた肯定応答（ＡＣＫ）リソースを決定するように構成される少なくとも１つのプロセッサを備え、
ここで、前記少なくとも１つのプロセッサは、利用可能なＡＣＫリソースの量を示す第４のパラメータを得るように、利用可能なラジオリソースの量を示す第５のパラメータを得るように、および前記第４および第５のパラメータに基づいて前記第３のパラメータを決定するように構成される、装置。
【請求項２３】
前記第１のパラメータが、データ伝送のために前記ＵＥに分配された少なくとも１つの物理的リソースブロック（ＰＲＢ）の最小のインデックスを備える、請求項２２の装置。
【請求項２４】
前記第２のパラメータは、データ伝送のために前記ＵＥに分配された参照信号列のサイクリックシフトを備え、前記第２のパラメータに対して許可された値の前記組はＭウェイ空間分割多元接続（ＳＤＭＡ）の０からＭ−１の範囲内の値を備え、Ｍが１またはそれより大きい、請求項２２の装置。
【請求項２５】
前記第１のパラメータの連続する値は、利用可能なＡＣＫリソースの連続するインデックスにマッピングされ、前記第２のパラメータの許可された各々の値は、異なるスタートのＡＣＫリソースのインデックスに関係する、請求項２２の装置。
【請求項２６】
前記第２のパラメータの１番目に許可された値に対して、前記第１のパラメータの連続的に増加する値は、最小のＡＣＫリソースのインデックスでスタートする利用可能なＡＣＫリソースの連続的に増加するインデックスにマッピングされ、前記第２のパラメータの２番目に許可された値に対して、前記第１のパラメータの連続的に増加する値は、最大のＡＣＫリソースのインデックスからスタートする前記利用可能なＡＣＫリソースの連続的に減少するインデックスにマッピングされる、請求項２２の装置。
【請求項２７】
データ伝送のためにユーザ装置（ＵＥ）に分配されたラジオリソースを示す第１のパラメータを少なくとも１つのコンピュータに得させるプログラムと、
データ伝送のために前記ＵＥに割り当てられた別のリソースを示す第２のパラメータを前記少なくとも１つのコンピュータに得させるプログラムであって、前記第１および前記第２のパラメータの少なくとも１つが制限され、各々制限されたパラメータは、前記パラメータに対して利用可能な全ての値の中の１組の許可された値に制限される、プログラムと、
前記ＵＥに分配するべきラジオリソースの最小量を示す第３のパラメータを前記少なくとも１つのコンピュータに決定させるプログラムと、
第１および第２のパラメータに基づいてデータ伝送のために前記ＵＥに分配される肯定応答（ＡＣＫ）リソースを前記少なくとも１つのコンピュータに決定させるプログラムと
を記憶し
前記の前記第３のパラメータを前記少なくとも１つのコンピュータに決定させるプログラムが、
利用可能なＡＣＫリソースの量を示す第４のパラメータを前記少なくとも１つのコンピュータに得させるプログラムと、
利用可能なラジオリソースの量を示す第５のパラメータを前記少なくとも１つのコンピュータに得させるプログラムと、
前記第４および前記第５のパラメータに基づいて前記第３のパラメータを前記少なくとも１つのコンピュータに決定させるプログラムと
を含む、コンピュータ読み取り可能な記憶媒体。
【発明の詳細な説明】
【技術分野】
【０００１】
この出願は、承継人にすべて譲渡され、参照によりここに組み込まれる、２００８年４月２９日に出願され、「ＰＨＩＣＨ（ｐｈｙｓｉｃａｌ  ＨＡＲＱ ｉｎｄｉｃａｔｏｒ  ｃｈａｎｎｅｌ）のリソースをマッピングする方法と装置」という題がつけられた米国仮特許出願第６１／０４８，９１１号と、２００８年４月２９日に出願され、「ＰＨＩＣＨのリソースをマッピングする方法と装置」という題がつけられた米国仮特許出願第６１／０４８，９１７号と、２００８年５月２日に出願され、「ＰＨＩＣＨのリソースをマッピングする方法と装置」という題がつけられた米国仮特許出願第６１／０４９，８３５号について優先権を主張する。
【０００２】
この開示は、一般的には通信に関係し、さらに具体的には、ワイヤレス通信システムにおけるリソースの割り当てのための技法に関係する。
【背景技術】
【０００３】
ワイヤレス通信システムは、音声、ビデオ、パケットデータ、メッセージング、同報のようなさまざまな通信内容を提供するために広く展開されている。これらのワイヤレスシステムは、利用可能なシステムのリソースを共有することによって多数のユーザをサポートすることができる多元接続システムとなることができる。そのような多元接続システムの例は、符号分割多元接続（ＣＤＭＡ）システム、時間分割多元接続（ＴＤＭＡ）システム、周波数分割多元接続（ＦＤＭＡ）システム、直交ＦＤＭＡ（ＯＦＤＭＡ）システム、およびシングルキャリアＦＤＭＡ（ＳＣ−ＦＤＭＡ）システムを含む。
【０００４】
ワイヤレス通信システムは、多数のユーザ装置（ｕｓｅｒ ｅｑｕｉｐｍｅｎｔ：ＵＥ）のための通信をサポートできる多数の基地局を備えている。基地局は、ダウンリンクおよびアップリンクでＵＥと通信することができる。ダウンリンク（つまりフォワードリンク）は、基地局からＵＥへの通信リンクを意味し、アップリンク（つまりリバースリンク）はＵＥから基地局への通信リンクを意味する。ＵＥは、基地局にデータのトランスミッション（ｔｒａｎｓｍｉｓｓｉｏｎ）を送ることができる。基地局は、データのトランスミッションを復号し、肯定応答（ＡＣＫ）情報をＵＥに送ることができる。ＡＣＫ情報は、基地局によってデータのトランスミッションが正しく復号されたか誤って復号されたかを示すことができる。ＵＥは、ＡＣＫ情報に基づいてデータのリトランスミッション（ｒｅｔｒａｎｓｍｉｓｓｉｏｎ）を送るかデータの新しいトランスミッションを送るかを決定することができる。ＡＣＫ情報を送るために効率的にＡＣＫリソースを割り当てることが望ましいだろう。
【発明の概要】
【０００５】
ワイヤレス通信システムにおけるＵＥにＡＣＫリソースを割り当てるための技法がここで説明される。シグナリング（ｓｉｇｎａｌｉｎｇ）のオーバーヘッドを避けるために、ＡＣＫリソースの分配は、アップリンクの許可において送られるパラメータによって暗黙のうちに伝えられることができる。分配のために利用可能なＡＣＫリソースの量は制限されているかもしれない。複数のＵＥは、同じＡＣＫリソースが割り当てられていないので、ＡＣＫリソースに対するアップリンクの許可におけるパラメータのマッピングは、衝突を回避したり、減らしたりするように設計され得る。
【０００６】
１つの設計において、データ伝送のためにＵＥに分配されるラジオリソースを示す第１のパラメータが得られることができる。第１のパラメータは、データ伝送のためにＵＥに分配される少なくとも１つの物理的なリソースのブロック（ｐｈｙｓｉｃａｌ  ｒｅｓｏｕｒｃｅ  ｂｌｏｃｋ：ＰＲＢ）の最小／開始のインデックスを備えている。データ伝送のためにＵＥに割り当てられた他のリソースを示す第２のパラメータも得られることができる。第２のパラメータは、データ伝送のためにＵＥに割り当てられる参照信号列のサイクリックシフトを備えることができる。第１のパラメータおよび／または第２のパラメータは制限されるかもしれない、そして、各々の制限されたパラメータは、パラメータとして利用可能な値の全てのうちの１組の許可される値に限定され得る。そのセットの値は、利用可能なＡＣＫリソースに第１および第２のパラメータをマッピングすることにおいて衝突をさけるように選択され得る。
【０００７】
データ伝送のためにＵＥに割り当てられるＡＣＫリソースは、第１および第２のパラメータに基づいて決定され得る。１つの設計において、第１のパラメータの連続する値は、異なるスタートのＡＣＫリソースのインデックスに関連する第２のそれぞれ許可される値とともに、利用可能なＡＣＫリソースの連続的なインデックスに対してマッピングされ得る。別の設計において、異なるマッピング方向は、第２の異なる許可される値ために使用され得る。第２のパラメータの１番目に許可される値に対して、第１のパラメータの連続的に増加する値が、利用可能なＡＣＫリソースの連続的に増加する、例えば、最小のＡＣＫリソースのインデックスでスタートする、インデックスにマッピングされ得る。第２のパラメータの２番目に許可される値に対して、第１のパラメータの連続的に増加する値が、利用可能なＡＣＫリソースの連続的に減少する、例えば、最大のＡＣＫリソースのインデックスでスタートする、インデックスにマッピングされ得る。第１のパラメータの値は、さらに、他の方式において利用可能なＡＣＫリソースにマッピングされ得る。
【０００８】
１つの設計において、ＵＥに分配するラジオリソースの最小量を示す第３のパラメータが得られることができる。第３のパラメータは、利用可能なＡＣＫリソースの量、利用可能なラジオリソースの量、空間分割多元接続（ＳＤＭＡ）などとともに多重化されるＵＥの量などに基づいて決定され得る。第３のパラメータは、利用可能なＡＣＫリソースに対して第１および第２のパラメータをマッピングすることにおける衝突を回避するように、選択されることができる。次に、ＡＣＫリソースはさらに第３のパラメータに基づいて決定され得る。
【０００９】
開示のさまざまな態様や特徴が以下でさらに詳細に説明される。
【図面の簡単な説明】
【００１０】
【図１】図１は、ワイヤレス通信システムを示す。
【図２】図２は、アップリンク上のデータ伝送の例を示す。
【図３】図３は、アップリンク上のデータの伝送のタイミングのダイヤグラムを示す。
【図４】図４は、ＡＣＫリソースの中間のインデックスをマッピングする例を示す。
【図５】図５は、衝突の無いＡＣＫリソースのマッピングの例を示す。
【図６】図６は、衝突の無いＡＣＫリソースのマッピングの他の例を示す。
【図７】図７は、アップリンクのスケジューリングの例を示す。
【図８】図８は、アップリンクのスケジューリングの他の例を示す。
【図９】図９は、ＵＥに対するＡＣＫリソースを決定するプロセスを示す。
【図１０】図１０は、ＵＥに対するＡＣＫリソースを決定する装置を示す。
【図１１】図１１は、基地局とＵＥのブロック図を示す。
【詳細な説明】
【００１１】
ここで説明された技法は、ＣＤＭＡ、ＴＤＭＡ、ＦＤＭＡ、ＯＦＤＭＡ、ＳＣ−ＦＤＭＡや他のシステムのようなさまざまなワイヤレス通信システムに使用され得る。用語「システム」および「ネットワーク」は、しばしば、区別なく使用される。ＣＤＭＡシステムは、ユニバーサル・テレスティアル・ラジオ・アクセス（Ｕｎｉｖｅｒｓａｌ  Ｔｅｒｒｅｓｔｒｉａｌ  Ｒａｄｉｏ  Ａｃｃｅｓｓ：ＵＴＲＡ）、ｃｄｍａ２０００などのようなラジオ技術をインプリメントし得る。ＵＴＲＡは、広帯域のＣＤＭＡ（ＷＣＤＭＡ）と他のＣＤＭＡの変形を含む。ｃｄｍａ２０００は、ＩＳ−２０００、ＩＳ−９５およびＩＳ−８５６標準をカバーする。ＴＤＭＡのシステムは、移動体通信のためのグローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ：ＧＳＭ（登録商標））のようなラジオ技術をインプリメントし得る。ＯＦＤＭＡシステムは、発展型ＵＴＲＡ（Ｅ−ＵＴＲＡ）、ウルトラ移動体広帯域（Ｕｌｔｒａ  Ｍｏｂｉｌｅ  Ｂｒｏａｄｂａｎｄ：ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュＯＦＤＭＡのようなラジオ技術をインプリメントし得る。ＵＴＲＡおよびＥ−ＵＴＲＡはユニバーサル・モービル・テレコミュニケーションシステム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）の一部である。３ＧＰＰのロング・ターム・エボリューション（ＬＴＥ）および進歩したＬＴＥ（ＬＴＥ−Ａ）は、Ｅ−ＵＴＲＡを使用するＵＭＴＳの新リリースであり、それは、ダウンリンクにおいてＯＦＤＭＡを、アップリンクにおいてＳＣ−ＦＤＭＡを使用する。ＵＴＲＡ、Ｅ−ＵＴＲＡ、ＵＭＴＳ、ＬＴＥ、ＬＴＥ−ＡおよびＧＳＭ（登録商標）は、「第３世代パートナーシッププロジェクト（３ｒｄ  Ｇｎｅｎｅｒａｔｉｏｎ  Ｐａｒｔｎｅｒｓｈｉｐ  Ｐｒｏｊｅｃｔ）」（３ＧＰＰ）と名付けられた組織の文献で説明されている。ｃｄｍａ２０００およびＵＭＢは、「第３世代パートナーシッププロジェクト２（３ｒｄ  Ｇｎｅｎｅｒａｔｉｏｎ  Ｐａｒｔｎｅｒｓｈｉｐ  Ｐｒｏｊｅｃｔ  ２）」（３ＧＰＰ２）と名付けられた組織の文献で説明されている。 ここで説明された技法は、上で述べられたシステムおよびラジオ技術に加えて他のシステムやラジオ技術にも使用されることができる。明確さのために、その技法の特定の態様は、ＬＴＥに対して、以下で説明され、ＬＴＥの専門用語は、以下の記載の大部分で使用される。
【００１２】
ここに記載された技法は、さらに、アップリンクに加えてダウンリンクでのデータ伝送に対して使用されることができる。明確さのために、その技法の特定の態様は、アップリンクにおけるデータ伝送のために以下で説明される。
【００１３】
図１は、ワイヤレス通信システム１００を示し、それは、ＬＴＥのシステムになり得る。システム１００は、多数の発展型ノードＢｓ（ｅＮＢ）１１０と他のネットワークのエンティティを含み得る。ｅＮＢは、ＵＥと通信する基地局になることができ、さらに、ノードＢ、基地局、アクセスポイントなどのように呼ばれ得る。ＵＥ１２０は、システム中に分散配置され、各ＵＥは製紙、あるいは移動的であり得る。ＵＥは、移動局、端末、アクセス端末、加入者ユニット、局などのように呼ばれ得る。ＵＥは、小型携帯移動電話機、パーソナル・デジタル・アシスタント（ＰＤＡ）、ワイヤレスモデム、ワイヤレス通信装置、ハンドヘルド装置、ラップトップコンピュータ、コードレス電話、ワイヤレス・ローカル・ループ（ＷＬＬ）局などであり得る。
【００１４】
システムは、ハイブリッド自動再送信（ｈｙｂｒｉｄ  Ａｕｔｏｍａｔｉｃ  ｒｅｔｒａｎｓｍｉｓｓｉｏｎ：ＨＡＲＱ）を備えたデータ伝送をサポートすることができる。アップリンク上のＨＡＲＱに関して、ＵＥは、データの他ランスミッションを送り、必要ならば、データが１つのｅＮＢによって正しく復号され、または、トランスミッションの最大の数が送られ、または、いくつかの他の終了状況が発生させられるまで、１つまたはそれより多い付加的伝送を行い得る。
【００１５】
システムは、さらに、ＳＤＭＡをサポートすることができる。アップリンク上のＳＤＭＡに関して、複数のＵＥは共有されるラジオリソースでｅＮＢに同時にデータを送ることができる。ｅＮＢは、複数のＵＥによって同時に送られるデータを再生するために受信器の空間的な処理を実行する。
【００１６】
図２は、ＳＤＭＡを用いたデータ伝送の１例を示す。ｅＮＢは、アップリンクのデータ伝送のためにＭ個のＵＥ１２０ａから１２０ｍまでスケジュールすることができ、ここで、非ＳＤＭＡに対してＭ＝１であり、２ウェイＳＤＭＡに対してはＭ＝２であり、４ウェイＳＤＭＡに対してＭ＝４であり、ＭウェイＳＤＭＡに対してＭ＞１である。ｅＮＢは、スケジューリングされるＵＥの各々に対してリソースを割り当てることができ、かつＵＥにアップリンクの許可を送ることができる。各々のＵＥに対するアップリンクの許可は、明白に、または暗黙のうちに、（ｉ）アップリンク上でデータを送るためのリソース、（ｉｉ）復調参照信号（ｄｅｍｏｄｕｌａｔｉｏｎ  ｒｅｆｅｒｅｎｃｅ  ｓｉｇｎａｌ：ＤＭＲＳ）のために使用すべきサイクリックシフト、（ｉｉｉ）ダウンリンク上でＡＣＫ情報を送るためのリソース、および／または他の情報を伝えることができる。復調参照信号は、また、パイロットと呼ばれ、チャンネルの評価のために用いられることができる。スケジューリングされるＵＥの各々は、ｅＮＢに対するアップリンクの許可に従ってデータと復調参照信号を送ることができる。ｅＮＢは、ＵＥによって送られた復調参照信号に基づいて各々のＵＥに対するチャンネルの評価を導き出すことができ、かつそれらのチャンネルの評価に基づきＭ個の全てのＵＥに対して受信機の空間的な処理を実行することができる。ｅＮＢは、さらに、各々のＵＥに対するデータが正しく復号されたかどうかを決定することができ、ＵＥにＡＣＫ情報を送ることができる。
【００１７】
ＬＴＥにおいて、各リンクに対する伝送の時系列は、サブフレームのユニットに分割され得る。各々のサブフレームは、特定の持続時間、例えば１ミリ秒、を持つことができ、２つのスロットに分割されることができる。各スロットは、拡張されたサイクリックプレフィックスのための６個の信号の期間、または、通常のサイクリックプレフィックスのための７個の信号の期間を含むことができる。
【００１８】
ＬＴＥは、ダウンリンク上の直交周波数分割多重（ＯＦＤＭ）およびアップリンク上のシングルキャリア周波数分割多重（ＳＣ−ＦＤＭ）を利用する。ＯＦＤＭとＳＣ−ＦＤＭは、システム帯域幅を複数（Ｋ）個の直交する副搬送波に分ける。そして、この副搬送波は、また、一般的に、トーン、ビンなどと呼ばれる。各々の副搬送波は、データを用いて変調されることができる。一般に、変調信号は、ＯＦＤＭを用いて周波数領域おいて送られ、ＳＣ−ＦＤＭを用いて時間領域において送られる。隣接した副搬送波の間の間隔は、固定され、副搬送波の合計数（Ｋ）はシステムの帯域幅に依存し得る。例えば、Ｋは、１．２５、２．５、５、１０、または２０ＭＨｚのシステムの帯域幅に対して、それぞれ、１２８、２５６、５１２、１０２４、または２０４８に等しくなり得る。
【００１９】
０から
【数１】
0005431456.tif 000002
【００２０】
までのインデックスを備える
【数２】
0005431456.tif 000003
【００２１】
個の物理的なリソースブロック（ＰＲＢ）は、アップリンクに対して利用可能であり、
【数３】
0005431456.tif 000004
【００２２】
個のＰＲＢはダウンリンクに対して利用可能である。各々のＰＲＢは、１つのスロットでＮＳＣ個の副搬送波（例えば、ＮＳＣ＝１２  の副搬送波）をカバーし得る。各々のリンクのための各々のスロットにおけるＰＲＢの数は、システムの帯域幅に依存することができ、１．２５から２０ＭＨｚのシステムの帯域幅に対して６から１０の範囲にわたることができる。
【００２３】
ＵＥは、アップリンク上のデータ伝送のために、連続的なＰＲＢが割り当てられ得る。ＵＥに対するアップリンクリソースの分配（ＲＡ）は、全ての割り当てられたＰＲＢの内の最小のインデックスによって伝えられ、そしてそれは、
【数４】
0005431456.tif 000005
【００２４】
と表記され、割り当てられたＰＲＢの数字であり得る。最小のＰＲＢのインデックスは、また、ＰＲＢのスタートのインデックスとも呼ばれ得る。ＵＥは、また、復調参照信号に対してサイクリックシフトのインデックスが与えられ、その信号は、ｎＤＭＲＳと表記さ得る。ＵＥは、また、物理的なＨＡＲＱ指示チャンネル（ｐｈｙｓｉｃａｌ  ＨＡＲＱ  ｉｎｄｉｃａｔｏｒ  ｃｈａｎｎｅｌ：ＰＨＩＣＨ）で送られてきたＡＣＫ情報を受信するためのリソースが与えられ得る。ＡＣＫ情報を送るためのリソースが、ＡＣＫリソース、ＰＨＩＣＨリソースなどのように呼ばれ得る。
【００２５】
図３は、アップリンク上のデータ伝送のための典型的なタイミングのダイヤグラムを示す。ｅＮＢは、ＵＥからスケジューリング要求を受け取ることができ、アップリンク上のデータ伝送のためにＵＥをスケジュールすることができ、ＵＥに対してリソース（例えば、ＰＲＢおよびＤＭＲＳのサイクリックシフト）を割り当てることができる。ｅＮＢは、サブフレームｔ１における物理的なダウンリンクの制御チャンネル（ｐｈｙｓｉｃａｌ  ｄｏｗｎｌｉｎｋ  ｃｏｎｔｒｏｌ  ｃｈａｎｎｅｌＰＤＣＣＨ）でＵＥに対してアップリンクの許可を送り得る。ＵＥは、ｅＮＢからアップリンクの許可を受け取ることができ、サブフレームｔ２における物理的なアップリンクの共有チャンネル（ｐｈｙｓｉｃａｌ  ｕｐｌｉｎｋ  ｓｈａｒｅｄ  ｃｈａｎｎｅｌ  ＰＵＳＣＨ）上のアップリンクの許可に従ってデータと復調参照信号を送り得る。ｅＮＢは、ＵＥからのアップリンク伝送を処理し、データが正しくまたは誤って復号されたかどうか決定し得る。ｅＮＢは、サブフレームｔ３において、ＰＨＩＣＨ上でＵＥのためのＡＣＫ情報を送り得る。サブフレームｔ２は、サブフレームの第１番目のオフセットによってサブフレームｔ１からオフセットされ、サブフレームｔ３は、２番目のサブフレームのオフセットにより、サブフレームｔ２からオフセットされ得る。
【００２６】
アップリンクの伝送のためにＵＥに割り与えられるＰＲＢとＤＭＲＳは、アップリンクの許可によって明白に伝えられることができる。信号発生のオーバーヘッドを回避するために、ＰＨＩＣＨリソースは、アップリンクの許可によって、明白に伝えられることができる。
【００２７】
１つの態様において、ＰＨＩＣＨのリソースの分配は、アップリンクリソースの分配の最小のＰＲＢインデックス
【数５】
0005431456.tif 000006
【００２８】
およびＤＭＲＳのサイクリックシフトのｎＤＭＲＳによって伝えられ、その両方は、アップリンクの許可において信号化され得る。ＵＥに対する分配について利用可能であるＰＨＩＣＨのリソースの量は、オーバーヘッドを減少させるために制限され得る。利用可能なＰＨＩＣＨへの
【数６】
0005431456.tif 000007
【００２９】
とｎＤＭＲＳのマッピングは、ＰＨＩＣＨリソース上の衝突を回避したり、減らしたりするように設計され得る。
【数７】
0005431456.tif 000008
【００３０】
とｎＤＭＲＳの異なる割り当てを備えた複数のＵＥが、同じＰＨＩＣＨリソースにマッピングされたときに衝突が生じることがあり、それらのＡＣＫ情報は、ＰＨＩＣＨリソース上で衝突するだろう。
【００３１】
ＰＵＳＣＨのための復調参照信号は、復調参照信号列に基づいて発生されることができる。そして、それは、式（１）として表現される。
【数８】
0005431456.tif 000009
【００３２】
ここで
【数９】
0005431456.tif 000010
【００３３】
は、基本列であり、それはｕ番目のグループにおいて、ｖ番目の基本列であり、
αは復調参照信号のサイクリックシフトであり、
ｒＰＵＳＣＨ（ｎ）は、長さＮＲＳの復調参照信号列である。
【００３４】
基本列は、擬似乱数列、Ｚａｄｏｆｆ−Ｃｈｕ数列、良い相関特性を持つ他の数列であり得る。サイクリックシフトαは、次のように、ＤＭＲＳのサイクリックシフトｎＤＭＲＳから得られることができる。
【数１０】
0005431456.tif 000011
【００３５】
ここで、ｎoffsetは、他のパラメータを含むことができ、「ｍｏｄ」はモジュロ演算を示す。
【００３６】
表１は、１つの代表的な設計に従って１セットの８個のｎＤＭＲＳの値を示す。
【００３７】
表１は、ｎoffset＝0と仮定して、各々サポートされたｎＤＭＲＳ の値に加えて対応するαの値に対して、３ビットの信号化された値を与える。また、他のセットのｎＤＭＲＳの値は、他の設計において使用される。
【表１】
0005431456.tif 000012
【００３８】
ＰＨＩＣＨのリソースの構成量は、ダウンリンクでのＵＥにＡＣＫ情報を送るために確保されることができる。ＰＨＩＣＨリソースは、ＰＨＩＣＨのグループのユニットに確保されることができる。確保すべきＰＨＩＣＨのグループの数、
【数１１】
0005431456.tif 000013
【００３９】
は、以下のように与えられ得る。
【数１２】
0005431456.tif 000014
【００４０】
ここで、Ｎｇは、構成パラメータであり、
【数１３】
0005431456.tif 000015
【００４１】
は、ｘに等しいかまたはｘより小さい最小の整数を与えるシーリングオペレータを示す。
【００４２】
表２は、いくつかのタイプのシステム帯域幅に対してＮｇに対するＰＨＩＣＨの数を与える。
【表２】
0005431456.tif 000016
【００４３】
各々のＰＨＩＣＨのグループは、
【数１４】
0005431456.tif 000017
【００４４】
個の直交系列と関連することができる
【数１５】
0005431456.tif 000018
【００４５】
個のＰＨＩＣＨのリソースを含むことができる。各々のＰＨＩＣＨのリソースは１つのＰＨＩＣＨのリソースのグループにおける一つの直交系列に一致することができる。ＰＨＩＣＨのリソースの合計数、ＮＰＨＩＣＨは、次のように与えられる。
【数１６】
0005431456.tif 000019
【００４６】
ここで、
【数１７】
0005431456.tif 000020
【００４７】
は、ＰＨＩＣＨのための直交系列の長さである。通常のサイクリックプレフィックスに対して
【数１８】
0005431456.tif 000021
【００４８】
であり、拡張されたサイクリックプレフィックスに対して
【数１９】
0005431456.tif 000022
【００４９】
である。
【数２０】
0005431456.tif 000023
【００５０】
であるから、各々のＰＨＩＣＨグループは、通常のサイクリックプレフィックスに対して８個のＰＨＩＣＨのリソースを含み、拡張されたサイクリックプレフィックスに対して４個のＰＨＩＣＨのリソースを含む。
【００５１】
ＵＥは、ＰＨＩＣＨリソースが割り当てられる。一つの代表的な設計において、割り当てられたＰＨＩＣＨのリソースは、以下のように定義されたインデックスのペア
【数２１】
0005431456.tif 000024
【００５２】
によって識別され得る。
【数２２】
0005431456.tif 000025
【数２３】
0005431456.tif 000026
【００５３】
ここで、
【数２４】
0005431456.tif 000027
【００５４】
は、割り当てられたＰＨＩＣＨのリソースに対しるＰＨＩＣＨグループのインデックスであり、
【数２５】
0005431456.tif 000028
【００５５】
は、割り当てられたＰＨＩＣＨのリソースに対して直交系列のインデックスである。割り当てられたＰＨＩＣＨのリソースは、また、他の設計において他の数式によって定義され得る。
【００５６】
表１に示される設計に対して、ｎＤＭＲＳは、８個の可能な値、つまりｎＤＭＲＳ∈｛０，２，４，６，８，１０｝の１つを持つ。もしＵＥが利用可能なＰＲＢの１つに割り当てられたなら、
【数２６】
0005431456.tif 000029
【００５７】
は、
【数２７】
0005431456.tif 000030
【００５８】
の値の１つを持ち得る。
【００５９】
もし、
【数２８】
0005431456.tif 000031
【００６０】
とｎＤＭＲＳが式のセットの（５）に示されるように
【数２９】
0005431456.tif 000032
【００６１】
と
【数３０】
0005431456.tif 000033
【００６２】
を計算するために直接使用されるなら、入力の
【数３１】
0005431456.tif 000034
【００６３】
とｎＤＭＲＳは、出力の
【数３２】
0005431456.tif 000035
【００６４】
と
【数３３】
0005431456.tif 000036
【００６５】
の次元空間よりも高い次元空間を持つだろう。
【００６６】
特に、入力の次元空間は、Ｎｇの値に依存して、出力の次元空間が
【数３４】
0005431456.tif 000037
【００６７】
またはそれより小さくなるにもかかわらず、
【数３５】
0005431456.tif 000038
【００６８】
になり得る。このように、式の組（５）によって与えられたＰＨＩＣＨのリソースは、衝突を受けやすい。そして、それは、複数のＵＥが同じＰＨＩＣＨに割り当てられるという結論になるだろう。
【００６９】
ＰＨＩＣＨでの衝突は、ＵＥに対して
【数３６】
0005431456.tif 000039
【００７０】
とｎＤＭＲＳを注意深く割り当てることによって避けられることができるので、２つのＵＥは、同じＰＨＩＣＨのリソースにマッピングされない。しかしながら、衝突という結果にならないある組み合わせにのみに
【数３７】
0005431456.tif 000040
【００７１】
とｎＤＭＲＳの割り当てを制限することはアップリンク対するスケジューラの複雑さを大いに増加させ得る。もしＰＨＩＣＨの衝突がＰＨＩＣＨのリソースのマッピングによって避けることができたとするなら、スケジューラの操作は簡単化されることができる。
【００７２】
もしある与えられたフレームにおいてスケジューリングするべきＵＥの総数、ＮＵＥが以下のように制限されているなら、一般的に、衝突の無いＰＨＩＣＨのリソースのマッピングは達成され得る。
【数３８】
0005431456.tif 000041
【００７３】
式（６）は、各ＵＥが１つのＰＨＩＣＨのリソースを割り当てられると想定する。式（６）は、ＳＤＭＡがスケジューリングされたＵＥに使用されるかいなかにかかわらず、適用されることができる。ＮＵＥは、次元空間の大きさを示し、ＮＰＨＩＣＨは出力の次元空間の大きさを示す。
【００７４】
ＰＨＩＣＨのリソースのマッピングにおける衝突は、マッピングに対する入力の自由度を減らすことによって軽減されることができる。一般的に、
【数３９】
0005431456.tif 000042
【００７５】
および／またはｎＤＭＲＳの自由度は、入力の次元空間を減らすために、減らされることができ、それゆえに衝突を軽減する。
【数４０】
0005431456.tif 000043
【００７６】
および／またはｎＤＭＲＳの自由度を減らす量は、構成可能であり、出力の次元空間に依存する。衝突を減少するとともに可能な範囲で
【数４１】
0005431456.tif 000044
【００７７】
とｎＤＭＲＳの自由度を最大にすることはＵＥにリソースを割り当てることにもっとも大きい柔軟性のあるスケジューラを与えることができる。
【００７８】
ｎＤＭＲＳは、入力の次元空間を減らすために制限されることができる。
【００７９】
１つの設計において、ｎＤＭＲＳは、以下のように制限されることができる。
【００８０】
・ｎＤＭＲＳ =0  ＵＥからの非ＳＤＭＡ伝送に対して
・ｎＤＭＲＳ ∈  ｛０，１｝   ＵＥからの２ウェイＳＤＭＡ伝送に対して
・ｎＤＭＲＳ ∈  ｛０，１，２｝  ＵＥからの３ウェイＳＤＭＡ伝送に対して、および
・ｎＤＭＲＳ ∈  ｛０，１，２，３｝  ＵＥからの４ウェイＳＤＭＡ伝送に対して
一般的に、ｎＤＭＲＳは、ＭウェイＳＤＭＡに対して０からＭ−１の範囲に制限されることができる。ここで、M≧１である。それに応じて、入力の次元空間は減少されることができる。
【００８１】
１つの設計において、ＵＥはパラメータｌadjacent_M が与えられる、そして、それは、ＵＥに対する最小の次元空間の大きさ（ＰＲＢの数）を示す。ｌadjacent_M は、出力の次元空間に依存する、そしてそれは、次に、表２に示されるようにNｇに依存することができる。１つの設計において、最小のリソースの分配の大きさは、図３に示されるように定義される。Ｎｇ＝２の時の場合、１（すなわち、分配の制限がない）の最小のリソースの分配の大きさが、非ＳＤＭＡ  ＵＥと２ウェイＳＤＭＡ  ＵＥに対して達成可能になることができる。ｌadjacent_M は、ＵＥに分配すべきＰＲＢの数を制限できるが、ＵＥに対してスタートのＰＲＢを制限しない。例えば、ＵＥは、ｌadjacent_M ＝４を持ち、０から
【数４２】
0005431456.tif 000045
【００８２】
までのいずれのＰＲＢからスタートする４つのＰＲＢの最小値が分配され得る。
【表３】
0005431456.tif 000046
【００８３】
ｌadjacent_M は、ＰＨＩＣＨでの衝突を避けるために他の方式でも定義され得る。
【００８４】
例えば、ｌadjacent_M は、ｌadjacent_M ＝Ｍ／Ｎｇと定義され得る。Ｎｇは、ＵＥに同報され、全てのＵＥに共通となり得る。Ｍは、アップリンクの許可に依存し、与えられたサブフレームにおいて予定が立てられた異なるＵＥに対して異なることができる。与えられたＵＥに対して、Ｍはオーバー時間を変化させ、ｎＤＲＭＳに基づいて暗黙のうちに決定される。
【００８５】
どのような場合においても、ＵＥはスケジューラにより少なくともｌadjacent_Mの連続したＰＲＢに分配され得る。
【数４３】
0005431456.tif 000047
【００８６】
個のＰＲＢの与えられるシステムの帯域幅とｌdjacent_1の最小のリソースの分配の大きさに対して、与えられるどのサブフレームにおいて予定が立てることができるＵＥの合計数は、以下のとおりの上限とされることができる。
【数４４】
0005431456.tif 000048
【００８７】
最小のリソースの分配の大きさは、式（４）、（６）と（７）から決定され、以下のとおりに表現され得る。
【数４５】
0005431456.tif 000049
【００８８】
衝突の無いＰＨＩＣＨのリソースのマッピングは、式（８）で示されたとおりに定義されたｌdjacent_1を用いて達成され得る。表４は、いくつかの典型的なシステムの帯域幅に対してNｇに対する最小のリソースの分配の大きさｌdjacent_1を与える。表４は、期待されたとおりNgが減少するにつれて増加することを示している。ｌadjacent_1=１の時に、非ＳＤＭＡのＵＥに対してリソース分配の制限はない。ＭウェイのＳＤＭＡのＵＥは、構成されたＮｇに依存じて、Ｍ・ｌadjucent_1または
【数４６】
0005431456.tif 000050
【００８９】
の連続するＰＲＢの最小が分配され得る。
【表４】
0005431456.tif 000051
【００９０】
１つの設計において、衝突のないＰＨＩＣＨのリソースのマッピングは、以下のとおりに定義される。
【数４７】
0005431456.tif 000052
【数４８】
0005431456.tif 000053
【００９１】
ここで、 
【数４９】
0005431456.tif 000054
【００９２】
は適合されたＰＲＢインデックスまたは中間のインデックスである。
【数５０】
0005431456.tif 000055
【００９３】
は
【数５１】
0005431456.tif 000056
【００９４】
、ｎDNRS、ｌadjacent_M  および／または他のパラメータに基づいてさまざまな方式で定義されることができる。
【数５２】
0005431456.tif 000057
【００９５】
は、
【数５３】
0005431456.tif 000058
【００９６】
の単一の値が衝突をさけるために異なるＰＨＩＣＨのリソースにマッピングされるように定義されることができる。
【００９７】
１つの設計において、Ｎｇ≦１ に対して
【数５４】
0005431456.tif 000059
【００９８】
は、以下のとおりに定義されることができる。
【数５５】
0005431456.tif 000060
【００９９】
式（１０）で示された設計において、非ＳＤＭＡのＵＥは、漸次高くなる 
【数５６】
0005431456.tif 000061
【０１００】
の値にマッピングされて漸次高くなる 
【数５７】
0005431456.tif 000062
【０１０１】
の値が割り当てられることができる。同じ 
【数５８】
0005431456.tif 000063
【０１０２】
の値を持つＭウェイＳＤＭＡのＵＥはそれらのＵＥと異なるｎＤＭＲＳによる 連続する
【数５９】
0005431456.tif 000064
【０１０３】
の値にマッピングされることができる。
【０１０４】
１つの設計において、Ｎｇ＝２に対して、
【数６０】
0005431456.tif 000065
【０１０５】
は、以下のとおりに定義され得る。
【数６１】
0005431456.tif 000066
【０１０６】
式（１１）で示される設計は、ミラーマッピング規則を利用する。数の最上の部分は、偶数のｎＤＭＲＳの値に対して適用される。最上の部分については、
【数６２】
0005431456.tif 000067
【０１０７】
であり、連続的に増加する最低のＰＲＢのインデックスは連続的に増加する
【数６３】
0005431456.tif 000068
【０１０８】
の値にマッピングされる。同じ最小のＰＲＢのインデックスを持つＭウェイＳＤＭＡのＵＥは、それらのＵＥに対する異なったｎＤＭＲＳの値により連続的な
【数６４】
0005431456.tif 000069
【０１０９】
の値にマッピングされ得る。式（１１）の底の部分は、奇数のｎＤＭＲＳの値に対して適用可能である。最下の部分に対して、
【数６５】
0005431456.tif 000070
【０１１０】
であり、ここで、
【数６６】
0005431456.tif 000071
【０１１１】
は最大のＰＨＩＣＨのリソースのインデックスである。そして、連続的に増加する最小のＰＲＢのインデックスは、最大のＰＨＩＣＨのリソースのインデックスでスタートする、連続的に減少する
【数６７】
0005431456.tif 000072
【０１１２】
の値にマッピングされる。したがって、式（１１）の最下の部分は、式（１１）の最上の部分とは逆の態様でＰＨＩＣＨに対して最小のＰＲＢのインデックスをマッピングする。
【０１１３】
別の設計においては、
【数６８】
0005431456.tif 000073
【０１１４】
は、以下のとおりに定義される。
【数６９】
0005431456.tif 000074
【０１１５】
ここで、Ｉoffsetはインデックスのオフセットである。
【０１１６】
さらに、別の設計においては、
【数７０】
0005431456.tif 000075
【０１１７】
は以下のとおりに定義される。
【数７１】
0005431456.tif 000076
【０１１８】
式（１３）に示される設計は、また、ミラーマッピング規則を使用する。
【０１１９】
式（１２）および（１３）におけるＩoffsetは、同じ最小のＰＲＢのインデックスを持つＭウェイのＳＤＭＡのＵＥを異なる
【数７２】
0005431456.tif 000077
【０１２０】
の値にマッピングするためにさまざまな方式で定義され得る。１つの設計において、式（１１）で示されたとおり、Ｎｇ＝２の時にＩoffsetは
【数７３】
0005431456.tif 000078
【０１２１】
に等しくなり得る。別の設計において、Ｎｇ＝１の時に、Ｉoffsetは、以下のとおりに定義され得る。
【数７４】
0005431456.tif 000079
【０１２２】
Ｉoffsetは、さらに、ｎＤＭＲＳ、 ｌadjacent_1、および／またはＮｇ、
【数７５】
0005431456.tif 000080
【０１２３】
などのような他のパラメータに基づいて他の方式で定義され得る。
【０１２４】
式（９）から（１０）における衝突の無いＰＨＩＣＨのリソースのマッピングはいくつかの鍵の特徴を持つ。第１に、ＰＨＩＣＨのリソースへのＵＥの衝突の無いマッピングは、可能な範囲で、アップリンクのスケジューリングに対するリソースの分配についての制限を最小にするとともに、達成され得る。第２に、割り当てられるＰＲＢの数を少なくともＭウェイのＳＤＭＡに対するｌadjacent_Mに制限することにより、ｌadjacent_M 個の隣接したＰＨＩＣＨのリソースはＭウェイのＳＤＭＡとともに多重化されたｌadjacent_M 個のＵＥに至るまで割り当てに利用可能である。第３に、式（１１）におけるミラーマッピング規則は、以下に説明されたとおり、ＭウェイのＳＤＭＡのＵＥを異なるＰＨＩＣＨのグループと、それゆえ異なる物理的なＰＨＩＣＨのリソースに分配する。第４に、非ＳＤＭＡとＳＤＭＡの結合は、式（９）から（１１）におけるＰＨＩＣＨのリソースのマッピングを備えた同じサブフレームにおいて柔軟にサポートされ得る。ＰＨＩＣＨのリソースのマッピングは、次の例によってさらに明らかに説明され得る。
【０１２５】
図４は、式の組（９）に従って
【数７６】
0005431456.tif 000081
【０１２６】
の値をＰＨＩＣＨのリソースにマッピングする２つの例を示す。第１の例において、
【数７７】
0005431456.tif 000082
【０１２７】
、Ｎｇ＝１／２であり、アップリンクに対する２５個のＰＲＢは０から２４のインデックスが割り当てられる。 この例において、表２から 
【数７８】
0005431456.tif 000083
【０１２８】
であり、通常のサイクリックインデックスに対して
【数７９】
0005431456.tif 000084
【０１２９】
である。１６個の利用可能なＰＨＩＣＨのリソースは、（ｉ）インデックス０と１を持つ２個のＰＨＩＣＨのグループに対する２列と（ｉｉ）０から７のインデックスを備えた８個の直交系列に対する８行を持つ８×２の表４１０によって表現される。各々のＰＨＩＣＨのリソースは、
【数８０】
0005431456.tif 000085
【０１３０】
のインデックスを持ち、ここで、
【数８１】
0005431456.tif 000086
【０１３１】
は列のインデックスであり、
【数８２】
0005431456.tif 000087
【０１３２】
は行のインデックスである。１６個のＰＨＩＣＨのリソースに対する
【数８３】
0005431456.tif 000088
【０１３３】
の値は表４１０に示される。
【０１３４】
第２の例において、 
【数８４】
0005431456.tif 000089
【０１３５】
であり、Ｎｇ＝２である。この例において、表２から
【数８５】
0005431456.tif 000090
【０１３６】
であり、通常のサイクリックプレフィックスに対して
【数８６】
0005431456.tif 000091
【０１３７】
である。５６個の利用可能なＰＨＩＣＨのリソースは、０から６までのインデックスを持つ７個のＰＨＩＣＨのグループに対する７列と０から７のインデックスを持つ８個の直交系列に対する８行を持つ８×７の表４２０によって表現される。５６個のＰＨＩＣＨのリソースに対する
【数８７】
0005431456.tif 000092
【０１３８】
の値は表４２０に示される。
【０１３９】
図５は、
【数８８】
0005431456.tif 000093
【０１４０】
であり Ｎｇ＝１／２である場合に対する衝突の無いＰＨＩＣＨのリソースのマッピングの例を示す。この例において、表４から
【数８９】
0005431456.tif 000094
【０１４１】
であり、
【数９０】
0005431456.tif 000095
【０１４２】
であり、ｌadjacent_1＝２であり、式（９）と（１０）は、衝突の無いＰＨＩＣＨのリソースのマッピングのために使用される。表５１０は、ｎＤＭＲＳ＝0に対するＰＨＩＣＨのリソースの最低のＰＲＢのインデックスのマッピングを示す。表５１０に示したとおり、（ｌadjacent_1＝２に対する２の増加において）０から２４までの最低のＰＲＢのインデックスは、表の左上の角から
【数９１】
0005431456.tif 000096
【０１４３】
よりスタートし、各行を左から右にわたって走査し、最上の行から最下の行に向かって動くＰＨＩＣＨのリソースにマッピングされる。表５２０は、ｎＤＭＲＳ＝１に対するＰＨＩＣＨのリソース最小のＰＲＢのインデックスのマッピングを示す。表５２０に示されたとおり、（２の増加において）０から２４の最小のＰＲＢのインデックスは、
【数９２】
0005431456.tif 000097
【０１４４】
で開始し、各行を左から右にわたって走査し、最上の行から最下の行まで動くＰＨＩＣＨのリソースにマッピングされる。ｎＤＭＲＳ＝１についてのＰＨＩＣＨのリソースに対する最小のＰＨＩＣＨのインデックスのマッピングは、１つのＰＨＩＣＨのリソースによって、ｎＤＭＲＳ＝０についてのＰＨＩＣＨのリソースに対する最小のＰＲＢのマッピングからシフトされる。表５１０において、奇数のインデックス１，３，５などを備えたＰＲＢは、偶数のインデックス０，２，４などを備えたＰＲＢのそれぞれと同様のＰＨＩＣＨのリソースにマッピングされることができる。スケジューラは割り当ての大きさによってのみ制限されることができ、最小のＰＲＢによって制限される必要はなく、それは、偶数または奇数のインデックスを持つ。
【０１４５】
図６は、
【数９３】
0005431456.tif 000098
【０１４６】
であり、Ｎｇ＝２であるの場合に対する衝突の無いＰＨＩＣＨのリソースのマッピングの例を示す。この例において、表４から
【数９４】
0005431456.tif 000099
【０１４７】
であり、
【数９５】
0005431456.tif 000100
【０１４８】
であり、ｌadjacent_1=１であり、式（９）および（１１）はＰＨＩＣＨのリソースのために使用される。表６１０は、ｎＤＭＲＳ＝０についてＰＨＩＣＨのリソースに対する最小のＰＲＢのインデックスのマッピングを示し、それは、式（１１）の最上の部分を使用する。表６１０で示されたとおり、０から２４の最小のＰＲＢのインデックスは、左上の角で
【数９６】
0005431456.tif 000101
【０１４９】
からスタートし、各行を左から右にわたって走査し、最上の行から最下の行に向かって動くＰＨＩＣＨのリソースにマッピングされる。表６２０は、ｎＤＭＲＳ＝１についてＰＨＩＣＨのリソースに対する最小のＰＲＢのインデックスのマッピングを示す。表６２０に示されるように、０ら２４の最小のＰＲＢのインデックスは、表の右下の角で
【数９７】
0005431456.tif 000102
【０１５０】
から開始し、各行を右から左に走査し、最下の行から最上の行に向かって動くＰＨＩＣＨのリソースにマッピングされる。したがって、ｎＤＭＲＳ＝１についてのＰＨＩＣＨのリソースに対する最小のＰＲＢのインデックスのマッピングはｎＤＭＲＳ＝０についてのＰＨＩＣＨのリソースに対する最小のＰＲＢのインデックスの鏡像である。
【０１５１】
表６３０は、ｎＤＭＲＳ＝２についてＰＨＩＣＨのリソースの最小のＰＲＢのマッピングを示す。そしてそれは、一つのオフセットを備えた式（１１）の最上部分を使用する。表６３０で示されたとおり、０から２４の最小のＰＲＢのインデックスは、
【数９８】
0005431456.tif 000103
【０１５２】
からスタート、右下の角に向かって走査するＰＨＩＣＨのリソースにマッピングされる。
【０１５３】
表６４０は、ｎＤＭＲＳ ＝３についてのＰＨＩＣＨのリソースに対する最小のＰＲＢのインデックスのマッピングを示し、それは、１つのオフセットを備えた式（１１）の最下の部分を使用する。表６４０に示されるように、０から２４の最小のＰＲＢのインデックスは、
【数９９】
0005431456.tif 000104
【０１５４】
からスタートし、左上の角に向かって走査するＰＨＩＣＨのリソースに対してマッピングされる。
【０１５５】
図６は、式（１１）に基づいたＰＨＩＣＨのリソースに対するＰＲＢの代表的なマッピングを示す。また、他の数式に基づく他のＰＨＩＣＨのリソースのマッピングは、さらに、異なるｎＤＭＲＳに対する異なったオフセット値が適用されるように定義され得る。
【０１５６】
例として、ｎＤＭＲＳ＝２について、０から２４の最小のＰＲＢのインデックスは、第２行において
【数１００】
0005431456.tif 000105
【０１５７】
からスタートし、右下の角に向かって走査するＰＨＩＣＨのリソースに対してマッピングされ得る。ｎＤＭＲＳ＝３について、０から２４の最小のＰＲＢのインデックスは、下から第２行の
【数１０１】
0005431456.tif 000106
【０１５８】
からスタートし、左上の角に向かって走査するＰＨＩＣＨのリソースにマッピングされ得る。
【０１５９】
図５、６に示されるとおり、１組のＳＤＭＡのＵＥは、しばしば、２つの異なるＰＨＩＣＨのグループにおけるＰＨＩＣＨのリソースが割り当てられ得る。例えば、図６において、０である最小のＰＲＢを備えた２つのＳＤＭＡのＵＥは、グループ０と６におけるＰＨＩＣＨのリソースが割り当てられことができ、１である最小のＰＲＢをそなえた２つのＳＤＭＡは、グループ１と５におけるＰＨＩＣＨのリソースが割り当てられることができるなど。異なるＰＨＩＣＨに対する1組のＳＤＭＡのＵＥのマッピングは、それらのＳＤＭＡのユーザの間の相互の干渉を避けることができる。各々のグループは１つの異なるセットの（例えば１２個の）のリソースの要素をマッピングすることができる。
【０１６０】
異なったＰＨＩＣＨのグループに対するリソースは、直交的になることができ、それゆえ、相互の干渉がなくなることができる。与えられたＰＨＩＣＨのグループ内で、異なったＵＥは、異なった直交系列および同相／直交の分岐（Ｉ／Ｑ）を通して区別され得る。したがって、同じＰＨＩＣＨのグループのＵＥは、チャンネル状況に依存する相互干渉を受けやすくなり得る。
【０１６１】
図５および６は、衝突の無いＰＨＩＣＨのリソースのマッピングの２つの例を示す。他のシステム帯域幅および他のＮｇの値についてのＰＨＩＣＨに対する
【数１０２】
0005431456.tif 000107
【０１６２】
とｎＤＭＲＳは、同様の方式で実行されることができる。
【０１６３】
図７は、
【数１０３】
0005431456.tif 000108
【０１６４】
であり、Ｎｇ＝１／２である場合に対するアップリンクのスケジューリングの例を示す。
【０１６５】
この例において、衝突をさけるためにｌadjacent_1＝２であり、Ｍ＞１に対してｌadjacent_M＝Ｍ・ｌadjacent_1である。式（９）および（１０）は、ＰＨＩＣＨのリソースのマッピングのために使用される。
【０１６６】
[0070]  図７に示される例において、２つのＵＥのａとｂは２ウェイＳＤＭＡのＰＲＢの０から５が割り当てられる。ＵＥのａは、０のｎＤＭＲＳの値が割り当てられ、さらに、ＰＨＩＣＨのリソースの
【数１０４】
0005431456.tif 000109
【０１６７】
が割り当てられる。ＵＥのｂは１のｎＤＭＲＳの値が割り当てられ、（１，０）というＰＨＩＣＨのリソースも割り当てられる。非ＳＤＭＡのＵＥは、６から９のＰＲＢが割り当てられ、（１，１）のＰＨＩＣＨのリソースが割り当てられる。４ウェイＳＤＭＡを備えた１０から１７のＰＲＢが割り当てられた４個のＵＥのｄ，ｅ，ｆおよびｇは、０から３のｎＤＭＲＳの値がそれぞれ割り当てられ、また、ＰＨＩＣＨのリソース（１，２）、（０，３）、（１，３） および（０，４）がそれぞれ割り当てられる。非ＳＤＭＡのＵＥは、１８および１９のＰＲＢが割り当てられ、ＰＨＩＣＨのリソース（１，４）も割り当てられる。非ＳＤＭＡのＵＥのiは２０から２２のＰＲＢが割り当てられ、（０，５）のＰＨＩＣＨのリソースが割り当てられる。非ＳＤＭＡのＵＥのｊは２３と２４のＰＲＢが割り当てられ、（１，５）のＰＨＩＣＨのリソースが割り当てられる。
【０１６８】
図７に示されたとおり、同じリソースの分配を備えたＭウェイＳＤＭＡのＵＥは、連続的なＰＨＩＣＨのリソースに対してマッピングされ、そしてそれは、ｌadjacent_M＝Ｍ・ｌadjacent_1と制限することにより利用可能なることができる。異なったリソースの分配を備えた非ＳＤＭＡのＵＥは、異なったＰＨＩＣＨのリソースに対してマッピングされる。衝突の無いＰＨＩＣＨのリソースのマッピングは非ＳＤＭＡのＵＥとＳＤＭＡのＵＥの両方を異なるＰＨＩＣＨのリソースに柔軟にマッピングし、衝突を避けることができる。
【０１６９】
図８は、
【数１０５】
0005431456.tif 000110
【０１７０】
であり Ｎｇ＝２である場合に対するアップリンクのスケジューリングの例を示す。この例において、衝突をさけるために、Ｍ＞２で、ｌadjacent_1＝ｌadjacent_2＝１であり、
【数１０６】
0005431456.tif 000111
【０１７１】
である。式（９）と（１１）はＰＨＩＣＨのリソースのマッピングのために使用される。
【０１７２】
図８に示される例において、８個のＵＥのａからｈは、８ウェイＳＤＭＡを備えた０から３のＰＲＢが割り当てられる。ＵＥのａ，ｃ，ｅとｇは０，２，４，６のｎＤＭＲＳの値がそれぞれ割り当てられ、また、 
【数１０７】
0005431456.tif 000112
【０１７３】
のＰＨＩＣＨのリソースがそれぞれ割り当てられる。ＵＥのｂ、ｄ、ｆとｈは、１，３，５と７のｎＤＭＲＳの値がそれぞれ、割り当てられ、（６，７）、（５，７）、（４，７）、（３，７）のＰＨＩＣＨのリソースもそれぞれ、割り当てられる。非ＳＤＭＡのUＥのｉは４から９のＰＲＢが割り当てられ、（４，０）のＰＨＩＣＨのリソースが割り当てられる。4個のＵＥのｊ、ｋ、ｌ、ｍは、４ウェイＳＤＭＡを備えたＰＲＢの１０から１２がそれぞれ割り当てられ、ｎＤＭＲＳの０，１，２と３の値が割り当てられ、ＰＨＩＣＨの（３，１）、（３，６）、（４，１）と（２，６）がそれぞれ割り当てられる。２個のUＥのｎとｏは、２ウェイＳＤＭＡを備えたＰＲＢの１８が割り当てられ、０と１のｎＤＭＲＳの値がそれぞれ割り当てられ、ＰＨＩＣＨの（４，２）と （２，５）がそれぞれ割り当てられる。非ＳＤＭＡのＵＥのｐは、ＰＲＢ１９が割り当てられ、ＰＨＩＣＨのリソース（５，２）も割り当てられる。６個のＵＥのｑ，ｒ，ｓ，ｔ，ｕとｖは６ウェイＳＤＭＡを備えたＰＲＢ２０から２３が割り当てられ、０から５のｎＤＭＲＳの値がそれぞれ割り当てられ、ＰＨＩＣＨのリソースの（６，２）、（０，５）、（０，３）、（６，４）、（１，３）と（５，４）がそれぞれ割り当てられる。 非ＳＤＭＡのＵＥのｗは、ＰＲＢ２４が割り当てられ、ＰＨＩＣＨのリソース（３，３）も割り当てられる。
【０１７４】
図８に示されたとおり、衝突の無いＰＨＩＣＨのリソースのマッピングは非ＳＤＭＡとＳＤＭＡの両方を異なるＰＨＩＣＨのリソースに柔軟にマッピングし、衝突をさけることができる。ＭウェイＳＤＭＡに対しては、偶数のｎＤＭＲＳの値が割り当てられたＵＥは、奇数のｎＤＭＲＳが割り当てられたＵＥが、下降するインデックス（またはＱ分岐）で連続的なＰＨＩＣＨのリソースに対してマッピングされるのにもかかわらず、上昇するインデックス（またはＩ分岐）で連続的なＰＨＩＣＨのリソースに対してマッピングされる。
【０１７５】
式（９）から（１１）で示された衝突の無いＰＨＩＣＨのリソースのマッピングは、以上に説明されたとおり、衝突なしにＰＨＩＣＨのリソースに対して非ＳＤＭＡとＳＤＭＡを柔軟にマッピングすることができる。１つの設計において、ＭウェイＳＤＭＡに対するｎＤＭＲＳは、入力の次元空間を減らすために０からＭ−１の範囲に制限されることができる。１つの設計において、最小のリソースの分配の大きさのｌadjacent_Mは、ＰＨＩＣＨの非衝突を保証するために制限されることもできる。最小のＰＲＢのインデックスは、最小のリソースの分配の大きさによって暗黙のうちに制限されることができる。例えば、もしインデックスＸを備えた最小のＰＲＢは、与えられたＵＥに対して分配されたなら、分配されることができる次に最小のＰＲＢは少なくともＸにｌadjacent_M をプラスしたものである。与えられた出力の次元空間について、ｌadjacent_Mは、衝突の無いマッピングを保証するとおもにスケジューラに最大の柔軟性を与えるためにできる限り小さくなるように選択されることができる。別の設計において、最小のＰＲＢのインデックスは明らかに制限され得る。そして、割り当ての大きさは、例えば、もし最小のＰＲＢが偶数のインデックスに制限されるなら少なくとも２つのＰＲＢに、明らかに制限され得る。一般的に、ｎＤＭＲＳ、最小のリソースの分配の大きさのｌadjacent_M 、最小のＰＲＢ、またはそれらの組み合わせは、衝突の無いまたは低衝突のリソースのマッピングを達成するために制限されることができる。衝突の無いＰＨＩＣＨのリソースのマッピングはアップリンクに対するスケジューラを大いに簡単にすることができる。
【０１７６】
１つの設計において、ＤＭＲＳのサイクリックシフトは良い実行を与えるために定義されることができる。ｎＤＭＲＳは、上記で説明されたとおり、ＭウェイＳＤＭＡに対して０からＭ−１の範囲内にあるよう制限されることができる。サイクリックシフトαは、例えば、式（２）と表１に示されるとおり、ｎＤＭＲＳから導きだされることができる。しかしながら、ｎＤＭＲＳが０からＭ−１に制限される時に、割り当てられたサイクリックシフトは少しのＳＤＭＡのＵＥに対して低くなることがあり、それは、効率を低下させることになる。
【０１７７】
表５は、サイクリックシフトαに対するｎＤＭＲＳの代表的なマッピングを示し、それは、少しのＳＤＭＡのＵＥに割り当てられたサイクリックシフトの間に大きな距離を与えることができる。例えば、２ウェイＳＤＭＡを備えた２つのＵＥは、０と１のｎＤＭＲＳの値が割り当てられ、最大の可能な距離を持つ０とπのサイクリックシフトに対してマッピングされることができる。４ウェイＳＤＭＡを備えたＵＥは、０，１，２と３のｎＤＭＲＳの値が割り当てられることができ、それは、最大の可能な距離を持つ０、π、π／２と３π／２のサイクリックシフトの値にマッピングされ得る。表５におけるマッピングは、０から２B−１のｎＤＭＲＳの値に対して２π ／２Ｂの最大の距離を与え、ここでＢ≧１である。表５におけるマッピングは、効率を改善し得る。
【表５】
0005431456.tif 000113
【０１７８】
システムは動的なスケジューリングと半固定的なスケジューリングをサポートし得る。動的なスケジューリングについて、アップリンクの許可は、スケジュールが立てられた各ＰＵＳＣＨ伝送に対して送られ得る。
【数１０８】
0005431456.tif 000114
【０１７９】
とｎＤＭＲＳ がアップリンクの許可において送られることができ、上で説明されたとおり、割り当てられたＰＨＩＣＨリソースを決定するためにＵＥによって使用され得る。半固定のスケジュールについて、アップリンクの許可は、最初のＰＵＳＣＨ伝送のために送られ、後続のＰＵＳＣＨ伝送のために送られ得る。１つの設計において、アップリンクの許可において送られる
【数１０９】
0005431456.tif 000115
【０１８０】
とｎＤＭＲＳ は、最初のＰＵＳＣＨ伝送に加えて後続のＰＵＳＣＨ伝送に対してＰＨＩＣＨのリソースを決定するために使用され得る。別の設計において、デフォルト値（例えば、０）がｎＤＭＲＳに使用されることができる。デフォルト値は、アップリンクの許可なしで他のＰＵＳＣＨ伝送にも使用されることができる。
【０１８１】
ここで説明された技法は、マルチキャリアオペレーションにも使用されることができる。搬送波は、特定中心周波数と特定帯域幅を持つことができ、データ、制御情報、参照信号などを送るために使用されることができる。例えば、１つの搬送波は、ダウンリンクに利用可能であり、複数（Ｎcarrier個）の搬送波は、アップリンクに利用可能であり、０からＮcarrierまでの割り当てられたインデックスになることができる。Ｎcarrier個のアップリンクの搬送波は単一のダウンリンクの搬送波にマッピングされることができる。アップリンクにおいて利用可能なＰＲＢは、ダウンリンクＰＨＩＣＨのリソースにマッピングされることができる。１つの設計において、有効なＮｇ、Ｎg,effはＮg,eff＝Ｎｇ／ＮcarrierとしてＮcarrier個のアップリンクの搬送波のために計算されることができる。そして、利用可能なPHICHのリソースは分けられ、Ｎcarrier個のアップリンクの搬送波に割り当てられることができる。各々のアップリンクの搬送波に対するPRBは、上で説明されたとおり、実際のＮｇの代わりにＮg,effに基づいてＰＨＩＣＨのリソースにマッピングされる。他の設計において、ＭウェイのＳＤＭＡに対するＭだけでなく搬送波の数に対するＮcarrierに基づいて定義され得る。異なったPHICHのリソースは、ｎＤＭＲＳとｎcarrierの値の異なった組み合わせに割り当てられることができる。
【０１８２】
ここで説明された技法は、また、非対称時分割複信（ＴＤＤ）にも使用され得る。各々のラジオフレームにおいて、U個のサブフレームは、ダウンリンクに分配されることができ、Ｖ個のフレームはアップリンクに分配されることができ、ここで、ＶはＵより大きい。アップリンクにおいて利用可能なＰＲＢはダウンリンクのおけるＰＨＩＣＨにマッピングされる。例えば、すべてのQ個のアップリンクのサブフレームは０からＱ−１であるｎｓｆのインデックスが割り当てられ、ここで、
【数１１０】
0005431456.tif 000116
【０１８３】
である。異なるＰＨＩＣＨリソースはｎＤＭＲＳとｎｓｆの値の異なる組み合わせに対して割り当てられることができる。
【０１８４】
一般に、ここで説明された技法は、マッピング関数に対する１組の入力に対する入力次元空間がマッピング関数の１組の出力に対する出力次元空間よりも大きいときはいつでも使用され得る。その組の入力は
【数１１１】
0005431456.tif 000117
【０１８５】
、ｎＤＭＲＳ、および／または他のパラメータを含み得る。１つ以上の入力は、出力に対して衝突の無いマッピングを保証するために制限されることができる。
【０１８６】
図９は、ＵＥに対するＡＣＫリソースを決定するプロセス９００の設計を示す。
【０１８７】
プロセス９００はＵＥ、ｅＮＢ、またはいくつかの他のエンティティによって実行される。
【０１８８】
データ伝送のためのＵＥに分配されるラジオリソースを示す第１のパラメータが得られることができる（ブロック９１２）１つの設計において、第１のパラメータは、データ伝送のためにＵＥに分配された少なくとも１つのＰＲＢの最小のインデックス（例えば、
【数１１２】
0005431456.tif 000118
【０１８９】
）を含み得る。第１のパラメータは、さらにＵＥに分配されたラジオのリソースに対する他の情報を含むことができる。
【０１９０】
データ伝送のためにＵＥに分配された他のリソースを示す第２のパラメータが得られることができる（ブロック９１４）。第１および第２のパラメータの少なくとも１つは制限されることができ、各々の制限されたパラメータパラメータに対して利用可能なすべての値の許可された１組の値に制限されることができる。第１のパラメータは制限が持たず、または、明らかに特定の値（例えば、８個のインデックス）に制限され、暗黙のうちに（例えば、最小の分配の大きさを明示することにより）制限されることができる。許可された値の組は第１および第２のパラメータを利用可能なＡＣＫリソースにマッピングすることにおける衝突を避けるために選択され得る。１つの設計において、第２のパラメータは、データ伝送に割り当てられた参照信号列のサイクリックシフト（例えば、ｎＤＭＲＳ）を備えることができる。第２のパラメータの許可された値の組は、ＭウェイＳＤＭＡに対して０からＭ−１の範囲内の値を含むことができ、ここでＭは１またそれ大きくなることができる。参照信号列の異なるサイクリックシフトは第２のパラメータに対して許可されたＭ個の値に関係することができる。これらのＭ個のサイクリックシフトは、例えば図５で示されたとおりに、Ｍに依存する距離または間隔を持つことができる。別の設計において、第２のパラメータはデータ伝送のためにＵＥに割り当てられた搬送波のインデックス（例えばｎcarrier）を備えることができる。さらに別の設計において、データ伝送のためにＵＥに割り当てられたサブフレームのインデックス（例えばｎｓｆ）を備えている。第２のパラメータはまたＵＥに割り当てられた他のリソースの他の情報を含み得る。
【０１９１】
データ伝送のためにＵＥに割り当てられるＡＣＫリソースは第１および第２のパラメータに基づいて決定されることができる（ブロック９１６）。１つの設計において、ＡＣＫリソースはＰＨＩＣＨのための直交系列のインデックスおよびＰＨＩＣＨグループのインデックスを備え得る。他の設計において、ＡＣＫリソースは、ＡＣＫ情報を送るために使用されることができる他のタイプのリソースを備え得る。
【０１９２】
１つの設計において、第１のパラメータの連続した値は、利用可能なＡＣＫリソースの連続したインデックスにマッピングされ、かつ第２のパラメータの各々の許可された値は、例えば、式（１０）または（１２）および図５の表５２０および５３０に示されたとおり、異なるスタートのＡＣＫリソースのインデックスに関係し得る。他の設計において、異なるマッピング方向は第２のパラメータの異なる許可された値に使用され得る。第２のパラメータの最初に許可された値（例えば、ｎＤＭＲＳ＝０）について、第１のパラメータの連続的に増加する値が、例えば、式（１１）または（１３）および図６の表６１０に示されるとおり、最小のＡＣＫリソースのインデックスからスタートする利用可能なＡＣＫリソースの連続的に増加するインデックスにマッピングされ得る。第２のパラメータの第２に許可された値（例えば、ｎＤＭＲＳ ＝１）について、第１のパラメータの連続的に増加する値は、例えば、式（１１）または（１３）および図６の６２０に示されたとおり、最大のＡＣＫリソースのインデックスからスタートする利用可能なＡＣＫリソースの連続的に減少するインデックスにマッピングされ得る。第１のパラメータの値は、また、他の方式において利用可能なＡＣＫリソースにマッピングされ、第２のパラメータの値は、また、他の方式におけるマッピングを制御し得る。
【０１９３】
ブロック９１６の１つの設計において、ＵＥに分配すべきラジオリソースの最小量（例えば、ｌadjacent_M）を指示する第３のパラメータが得られることができる。（ｉ）利用可能なＡＣＫリソースの量（例えば、Ｎｇ）を示す第４のパラメータ、（ｉｉ）利用可能なラジオリソースの量（例えば、
【数１１３】
0005431456.tif 000119
【０１９４】
）を示す第５のパラメータ（ｉｉｉ）ＭウェイＳＤＭＡのためのパラメータ、ここでＭは１またはそれより多く、および／または(iv)搬送波の数のようないくつかの他のパラメータに基づき決定されることができる。例えば、第３のパラメータは、 ｌadjacent_M＝Ｍ・ｌadjacent_1または
【数１１４】
0005431456.tif 000120
【０１９５】
として決定されることができ、ここで、ｌadjacent_1は例えば、表４に示されたとおり第３および第４のパラメータに依存する。もし、ＡＣＫのリソースが利用可能であるなら第３のパラメータはまた前もって決定された値（例えば、１）にセットされ得る。第３のパラメータは、利用可能なＡＣＫリソースに第１および第２のパラメータをマッピングすることにおいて衝突を避けるために選択され得る。いずれの場合においても、ＡＣＫのリソースは、さらに第３のパラメータに基づいて決定され得る。
【０１９６】
１つの設計において、中間的のインデックス（例えば、
【数１１５】
0005431456.tif 000121
【０１９７】
）は、例えば、式（１０）または（１２）に示されたとおり、第１および第２のパラメータに基づいて決定され得る。別の設計において、中間のインデックスは、例えば、式（１１）または（１３）に示されたとおり第１、第２、および第３のパラメータに基づいて決定され得る。両方の設計について、中間のインデックスは、例えば、式のセット（９）で示されるとおり、予め決定されたマッピングに基づいてＡＣＫリソースのインデックスに分配されることができる。
【０１９８】
データは、ＵＥにマッピングされたラジオリソースにおいて交換されることができる（ブロック９１８）データに対するＡＣＫ情報はＵＥに割り当てられたＡＣＫリソースにおいて交換されることができる（ブロック９２０）。アップリンク上のデータ伝送に対して、ＵＥによって分配されたラジオリソースに送られ、ｅＮＢによって受け取られることができる。ＡＣＫ情報は、ｅＮＢによってＡＣＫリソースに送られ、ＵＥによって受け取られることができる。ダウンリンクにおけるデータ伝送に対して、データが、ｅＮＢによって分配されたラジオリソースに送られることができ、ＵＥによって受け取られることができる。ＡＣＫ情報は、ＵＥによってＡＣＫリソースに送られ、ｅＮＢによって受け取られ得る。
【０１９９】
図１０は、ＵＥに対するＡＣＫリソースを決定する装置１０００の設計を示す。装置１０００は、データ伝送のためにＵＥに分配されたラジオリソースを示す第１のパラメータを得るモジュール１０１２と、制限された第１と第２のパラメータの少なくとも１つを用いてデータ伝送のためにＵＥに割り当てられた他のリソースを第２のパラメータと、パラメータのために利用可能であるすべての値のうちの1セットの許可された値に制限される各々の制限されたパラメータとを得るモジュール１０１４と、第１と第２のパラメータに基づいてデータ伝送に分配されたＡＣＫリソースを決定するモジュール１０１６と、ＵＥに分配されたラジオリソースにおいてデータを交換する（例えば、送る、または受け取る）モジュール１０１８と、ＵＥに割り当てられるＡＣＫリソースについてのデータＡＣＫ情報を交換する（例えば、受け取る、または送る）モジュール１０２０とを含む。
【０２００】
図１０におけるモジュールは、プロセッサ、電子機器、ハードウエアデバイス、電子部品、論理回路、メモリ、ソフトウエアコード、ファームウエアコードなど、またはそれらの組み合わせを備えることができる。
【０２０１】
図１１は、基地局／ｅＮＢ１１０の設計のブロックダイヤグラムを示し、それは図１のｅＮＢの１つとＵＥの１つになることができる。ＵＥ１２０は、１１３４ａから１１３４ｔまでのＴ個のアンテナを装備し、ｅＮＢ１１０は、１１５２ａから１１５２ｒまでのR個のアンテナを装備し、ここで、一般的に、Ｔ≧１であり、Ｒ≧１である。
【０２０２】
ＵＥ１２０において、送信プロセッサ１１２０は、データソース１１１２からデータを受け取り、１つ以上の変調およびコーディングの体系に基づいてデータを処理（例えば、コーディング、インターリーブ、変調）し、データシンボルを供給する。送信プロセッサ１１２０は、また、コントローラ／プロセッサ１１４０から制御情報（例えば、リソース要求のために）を処理する。送信プロセッサ１１２０は、また、ＵＥ１２０に割り当てられたサイクリックシフトに基づき復調参照信号のために参照信号を発生することもできる。送信（ＴＸ）多重入力・多重出力（ＭＩＭＯ）プロセッサ１１３０は、データシンボル、制御シンボル、および／または参照信号シンボルを多重化することができる。ＴＸ  ＭＩＭＯプロセッサは、もし適用可能であれば、多重化された記号についての空間的な処理（例えば、プレコーディング）を実行し、１１３２ａから１１３２ｔまでのＴ個の出力記号列をＴ個の変調器（ＭＯＤｓ）に供給する。各々の変調器１１３２は、出力例のストリームを得るために各自の出力記号のストリーム（例えば、ＳＤ−ＦＤＭＡのために）を処理することができる。各々の変調器１１３２は、さらに、アップリンクの信号を得るために出力例のストリームを処理（例えば、アナログ変換、増幅、アップコンバート）することができる。１１３２ａから１１３２ｔまでの変調器からのＴ個のアップリンクの信号は、それぞれ１１３２ａから1１１３４ｔのＴ個のアンテナに送られることができる。
【０２０３】
ｅＮＢにおいて、１１５２ａから１１５２ｒまでのアンテナは、ＵＥ１２０からのアップリンクの信号を受け取り、それぞれ、１１５４ａから１１５４ｒまでの復調器（ＤＥＭＯＤｓ）に対して受け取った信号を与えることができる。各々の復調器１１５４は、入力サンプルを得るためにそれぞれの受け取られた信号を調整（例えば、濾波、増幅、ダウンコンバート、デジタル化）する。受け取ったシンボルを得るために入力サンプル（例えば、ＳＣ−ＦＤＭ）をさらに処理する。ＭＩＭＯの検出器１１５６は、１１５４ａから１１５４ｒのＲ個の全ての復調器からシンボルを受け取り、適用可能であるなら、受け取ったシンボルについてのＭＩＭＯ検出を実行することができる。受信プロセッサ１１５８は、検出されたシンボルを処理（例えば、復調、デインターリーブ、および復号）し、データシンク１１６０に復号された信号を供給し、コントローラ／プロセッサ１１８０に復号された制御情報を供給する。
【０２０４】
ダウンリンク上で、ｅＮＢにおいて、データソース１１６２からのデータとコントローラ／プロセッサ１１８０からの制御情報（例えば、アップリンクの許可のため、ＡＣＫ情報など）は、もし適用可能であれば、送信プロセッサ１１６４によって処理され、ＴＸ  ＭＩＭＯプロセッサによってプリコード化され、１１５４ａ から１１５４ｒまでの変調器により調整され、ＵＥ１２０に送信されることができる。ＵＥ１２０において、ｅＮＢ１１０からのダウンリンクの信号が、アンテナ１１３４によって受信され、復号器１１３２によって調整され、適用可能あるならばＭＩＭＯ検出器によって処理され、さらに、ＵＥ１２０に送られるデータと制御情報を得るために受信プロセッサ１１３８によって処理され得る。
【０２０５】
コントローラ／プロセッサ１１４０と１１８０はＵＥ１２０およびｅＮＢ１１０の動作を指示し得る。ＵＥ１２０におけるプロセッサ１１４０および／または他のプロセッサとモジュールは、図９の処理９００および／またはここで説明された技法のための他の処理を実行または指示し得る。ｅＮＢのプロセッサ１１８０および／または他のプロセッサとモジュールは、さらに、ここで説明された技法のための図９の処理９００および／または他の処理を実行または指示し得る。メモリ１１４２と１１８２は、それぞれ、ＵＥ１２０とｅＮＢ１１０に対してデータとプログラムコードを記憶し得る。スケジューラ１１８４は、ダウンリンクおよび／またはアップリンクの送信のためにＵＥをスケジューリングして、スケジューリングされたＵＥにリソース（例えば、ＰＲＢ、サイクリックシフト、ＡＣＫリソースなど）の分配を与えることができる。
【０２０６】
技術に熟練した者は、情報および信号がさまざま異なった技術および技法のいずれも使用して表現されることを理解するだろう。例えば、上の記載を通して参照されたデータ、命令、コマンド、情報、信号、ビット、シンボル、チップは、電圧、電流、電磁波、磁界または磁性粒子、光学的な場、光学粒子、またはそれらの組み合わせによって表現されることができる。
【０２０７】
熟練者は、さらに、ここの開示に関係して説明されたさまざまな実例のロジックブロック、モジュール、回路、およびアルゴリズムは、電子ハードウエア、コンピュータソフトウエア、または両者の組み合わせとして実行されることを認識するだろう。ハードウエアとソフトウエアの交換性を明らかに説明するために、さまざまな実例の部品、ブロック、モジュール、回路、およびステップが、大体、それらの機能の用語により上で説明された。そのような機能がハードウエアまたはソフトウエアとして実行されるかどうかは全てのシステムに組み込まれた特定の用途や設計の束縛に依存する。熟練した技術者は、各々の特定の用途のために方法を変化する説明された機能をインプリメントすることができるが、そのようなインプリメントの決定は現在の開示の範囲からの逸脱を引き起こすとして解釈されるべきではない。
【０２０８】
ここでの開示と関連して説明されたさまざまな実例のロジックブロック、モジュール、および回路は、ここで説明された機能を実行するよう設計された汎用のプロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理装置、個別ゲート、またはトランジスタロジック、個別のハードウエア部品、またはそれらの組み合わせを用いて実施または実行されることができる。汎用プロセッサは、マイクロプロセッサであることができるが、代わりに、そのプロセッサは、いずれの従来のプロセッサ、コントローラ、マイクロコントローラ、またはステートマシンであることができる。プロセッサは、計算装置の組み合わせ、例えば、ＤＳＰとマイクロプロセッサ、複数のマイクロプロセッサ、ＤＳＰのコアと組み合わされた１つまたはそれより多いマイクロプロセッサ、またはそのような他の形態としてインプリメントされることができる。ここでの開示と関連して説明された方法またはアルゴリズムのステップは、ハードウエアにおいて、プロセッサによって実行されたソフトウエアにおいて、または、その２つの組み合わせにおいて、直接に具体化されることができる。ソフトウエアモジュールは、ＲＡＭメモリ、ＲＯＭメモリ、ＥＰＲＯＭメモリ、ＥＥＰＲＯＭメモリ、可搬のディスク、ＣＤ−ＲＯＭ、またはその技術において知られている記憶媒体の他の形態で備わることができる。代表的な記憶媒体は、プロセッサが記憶媒体から情報を読み込み、かつ記憶媒体へ情報を書き込むようにプロセッサに連結されている。代わりに、記憶媒体がプロセッサに必須になることができる。プロセッサと記憶媒体はＡＳＩＣに備わることができる。ＡＳＩＣはユーザの端末に備わることができる。代わりに、プロセッサと記憶媒体はユーザの端末の個別の部品に備わることができる。
【０２０９】
１つまたはそれより多い表的な設計において、説明された機能は、ハードウエア、ソフトウエア、ファームウエア、またはそれらの組み合わせにおいてインプリメントされ得る。もし、ソフトウエアにおいてインプリメントされるなら、機能は、コンピュータ読み取り可能な媒体の１以上の命令またはコードとして記憶されまたは送られ得る。コンピュータ読み取り可能な媒体は、コンピュータプログラムのある場所から他の場所の移動を容易にするいかなる媒体を含むコンピュータ記憶メディアと通信メディアの両方を含む。記憶媒体は、汎用のまたは特定目的のコンピュータによってアクセスされるいかなる媒体であり得る。限定ではなく、例を目的として、そのようなコンピュータ読み取り可能媒体は、命令またはコード構造の形態で要求されたプログラムコード手段を運ぶまたは蓄えるために使用されることができ、汎用のまたは特定用途のコンピュータ、または汎用のまたは特定用途のプロセッサによってアクセスされることができるＲＡＭ、ＲＯＭ、ＥＰＲＯＭ、ＣＤ−ＲＯＭ、または他の光ディスク記憶装置、磁気ディスク装置、他の磁気記憶装置、または他の媒体を備えることができる。また、いかなる結合も、当然のことながらコンピュータ読み取り可能な媒体と名付けられる。例えば、ソフトウエアは、同軸ケーブル、光ファイバケーブル、ツイステッドペア、デジタル加入者線（ＤＳＬ）,または、赤外線、ラジオ、およびマイクロ波などのようなワイヤレス技術を使用するウェブサイト、サーバ、または他の遠隔のリソースから送信されるなら、同軸ケーブル、光ファイバケーブル、撚線対、ＤＳＬ，または、赤外線、ラジオ、およびマイクロ波のようなワイヤレス技術は、媒体の定義に含まれる。ディスク（ｄｉｓｋ）は、通常、磁気的にデータを再生する一方、ディスク（ｄｉｓｃ）はレーザで光学的にデータを再生する、ここで使用されるようなディスク（ｄｉｓｋ）とディスク（ｄｉｓｃ）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含む。上記のものの組み合わせも、また、コンピュータ読み取り可能なメディアの範囲内に含まれるべきである。
【０２１０】
開示の上記記載は、その技術のいずれの熟練者が開示を作成し、使用することを可能にするために提供された。その技術の熟練者にとって容易に明らかであり、ここで定義された一般的な原理は、開示の精神や範囲から離れることなく他の変化に適用され得る。
【０２１１】
このように、開示は、ここで説明された例および設計に制限されるつもりはないが、ここで開示された原理、顕著な特徴に一致する最も広い範囲に従う。
以下に本件出願当初の特許請求の範囲に記載された発明を付記する。
［１］ワイヤレス通信のための方法であって、
データ伝送のためにユーザ装置（ｕｓｅｒ  ｅｑｕｉｐｍｅｎｔ：ＵＥ）に分配されるラジオリソースを示す第１のパラメータを得ることと、
データ伝送のために前記ＵＥに割り当てられる他のリソースを示す第２のパラメータを得ることと、
ここで、前記第１および前記第２のパラメータの少なくとも１つは制限され、かつ各々制限されたパラメータの各々は、前記パラメータに対してすべての利用可能な値の中の1組の許可された値に制限され、
前記第１および前記第２のパラメータに基づいてデータ伝送のために前記ＵＥに割り当てられる肯定応答（ＡＣＫ）リソースを決定することと
を備える方法。
［２］前記第１のパラメータが、データ伝送のために前記ＵＥに分配された少なくとも１つの物理的リソースブロック（ＰＲＢ）の最小のインデックスを含む、［１］の方法。
［３］前記第２のパラメータが、データ伝送のために前記ＵＥに対して割り当てられた参照信号列のサイクリックシフトを含む［１］の方法。
［４］前記第２のパラメータに許可された値の前記組は、Ｍウェイ空間分割多元接続（ＳＤＭＡ）の０からＭ−１までの範囲内の値を含み、
ここでＭが１またはそれより大きい、［３］の方法。
［５］前記参照信号列のＭ個の異なるサイクリックシフトは、第２のパラメータに許可された値に関係し、Ｍ個のサイクリックシフトの間の間隔はＭに依存している、［４］の方法。
［６］前記第１のパラメータの連続的な値は、利用可能なＡＣＫリソースの連続的なインデックスにマッピングされ、前記第２のパラメータの各々許可された値は、異なるスタートのＡＣＫリソースのインデックスに関係する、［１］の方法。
［７］前記第２のパラメータの1番目に許可された値に対して、前記第１のパラメータの連続的に増加する値が、最小のＡＣＫリソースのインデックスからスタートする利用可能なＡＣＫリソースの連続的に増加するインデックスにマッピングされ、前記第２のパラメータの２番目に許可された値に対して、前記第１のパラメータの連続的に増加する値は、最大のＡＣＫリソースのインデックスからスタートする前記利用可能なＡＣＫリソースの連続的に減少するインデックスにマッピングされる、［１］の方法。
［８］さらに、前記ＵＥに分配するべきラジオリソースの最小量を示す第３のパラメータを決定することを備え、
そして、前記ＡＣＫリソースを決定することは、さらに、前記第３のパラメータに基づいて前記ＡＣＫリソースを決定することを含む、［１］の方法。
［９］前記の前記第３のパラメータを決定することが、利用可能なＡＣＫリソースの量を示す第４のパラメータを得ることと、
利用可能なラジオリソースの量を示す第５のパラメータを得ることと、
前記第４および前記第５のパラメータに基づいて前記第３のパラメータを得ること
を含む、［８］の方法。
［１０］前記第３のパラメータは、さらに、Ｍウェイ空間分割多元接続（ＳＤＭＡ）に基づいて決定され、ここでＭは１またはそれより大きい、［９］の方法。
［１１］前記の前記第３のパラメータを決定することは、ダウンリンクの搬送波にマッピングされるアップリンクの搬送波の数に基づいて前記第３のパラメータを決定することを備える、［８］の方法。
［１２］前記ＡＣＫリソースを決定することは、
前記第１、第２、および第３のパラメータに基づいて中間のインデックスを決定することと、
前もって決定されたマッピングに基づいてＵＥに割り当てられたＡＣＫリソースのインデックスに対して前記中間のインデックスをマッピングすること
を備える、［８］の方法。
［１３］前記中間のインデックスは、
【数１１６】
0005431456.tif 000122
によって決定され、
ここで、
【数１１７】
0005431456.tif 000123
は、前記第１のパラメータであり、
Ｉoffsetは、前記第２のパラメータに基づいて決定されたオフセットであり、
ｌadjacent_1は、非ＳＤＭＡに対する前記第３のパラメータであり、
【数１１８】
0005431456.tif 000124
は、前記中間のインデックスである、
［１２］の方法。
［１４］前記ＡＣＫリソースを決定することは、
前記第１、第２、および第３のパラメータに基づいて中間のインデックスを決定することと、
前もって決定されたマッピングに基づいて前記ＵＥに割り当てられた前記ＡＣＫリソースのインデックスに対して前記中間のインデックスをマッピングすること
を含む、［１］の方法。
［１５］前記中間のインデックスは
【数１１９】
0005431456.tif 000125
に従って決定され、
ここで、
【数１２０】
0005431456.tif 000126
は、前記第１のパラメータであり、
ｎＤＭＲＳは、前記第２のパラメータであり、
Ｉoffsetは、前記第２のパラメータに基づいて決定されたオフセットであり、
Ｉmaxは、最大のＡＣＫリソースのインデックスであり、
【数１２１】
0005431456.tif 000127
は、前記中間のインデックスである、［１４］の方法。
［１６］前記第３のパラメータが、前記第１および前記第２のパラメータを利用可能なＡＣＫリソースにマッピングすることにおける衝突を回避するために選択される、［８］の方法。
［１７］前記第２のパラメータのために許可された値の前記組は、前記第１および第２のパラメータをマッピングすることにおける衝突を回避するために選択される、［１］の方法。
［１８］前記ＵＥに分配される前記ラジオリソースのデータを送ることと、
前記ＵＥに割り当てられた前記ＡＣＫリソースのデータについてのＡＣＫ情報を受け取ることを
をさらに含む、［１］に記載の方法。
［１９］前記ＵＥに分配された前記ラジオリソースのデータを受け取ることと、
前記ＵＥに割り当てられた前記ＡＣＫリソースのデータについてのＡＣＫ情報を送ること
をさらに含む、［１］の方法。
［２０］前記ＡＣＫリソースは、  物理的なＨＡＲＱ指示チャンネル（ＰＨＩＣＨ）のための直交系列のインデックスとＰＨＩＣＨのグループのインデックスとをさらに備える、［１］の方法。
［２１］ワイヤレス通信のための装置であって、
データ伝送のためにユーザ装置（ＵＥ）に分配されたラジオのリソースを示す第１のパラメータを得る手段と、
データ伝送のために前記ＵＥに割り当てられる他のリソースを示す第２のパラメータを得る手段と、
ここで、前記第１および前記第２のパラメータの少なくとも１つが制限され、各制限されたパラメータは、パラメータに対してすべてに利用可能な値の内の1組の許可された値に制限され、
前記第１および前記第２のパラメータに基づいてデータ伝送のために前記ＵＥに割り当てられる肯定応答（ＡＣＫ）リソースを決定する手段と
を備える、装置。
［２２］前記第１のパラメータが、データ伝送のために前記ＵＥに分配された少なくとも１つの物理的リソースブロック（ＰＲＢ）の最小のインデックスを備える、［２１］の装置。
［２３］前記第２のパラメータが、データ伝送のために前記ＵＥに割り当てられた参照信号列のサイクリックシフトを備え、前記第２のパラメータの許可されたその前記組の値は、Ｍウェイ空間分割多重接続（ＳＤＭＡ）の０からＭ−１の範囲内の値を備え、Ｍが１またはそれより大きい、［２１］の装置。
［２４］前記第１のパラメータの連続した値は、利用可能なＡＣＫリソースの連続のインデックスにマッピングされ、前記第２のパラメータの各々許可された値の各々は異なるスタートのＡＣＫリソースのインデックスに関係する、［２１］の装置。
［２５］前記第２のパラメータの１番目に許可された値に対して、前記第１のパラメータの連続的に増加する値が、最小のＡＣＫリソースのインデックスからスタートする利用可能なＡＣＫリソースの連続的に増加するインデックスにマッピングされ、かつ、第２のパラメータの２番目に許可された値に対して、第１のパラメータの連続的に増加する値が、最大のＡＣＫリソースのインデックスからスタートする前記利用可能なＡＣＫリソースの連続的に減少するインデックスにマッピングされる、［２１］の装置。
［２６］前記ＵＥに分配するラジオリソースの最小量を示す第３のパラメータを決定する手段をさらに備え、そして、
前記ＡＣＫリソースを決定する手段は、さらに、前記第３のパラメータに基づいて前記
ＡＣＫリソースを決定する手段を備える、［２１］の装置。
［２７］前記第３のパラメータを決定する前記手段は、
利用可能なＡＣＫリソースの量を示す第４のパラメータを得る手段と、
利用可能なラジオリソースの量を示す第５のパラメータを得る手段と、
前記第４と前記第５のパラメータに基づいて前記第３のパラメータを決定する手段と
を備える、［２６］の装置。
［２８］ワイヤレス通信のための装置であって、
データ伝送のためにユーザ装置（ＵＥ)に分配されたラジオリソースを示す第１のパラメータを得るように、データ伝送のために前記ＵＥに割り当てられる他のリソースを示す第２のパラメータを得るように、ここで、前記第１および前記第２のパラメータ少なくとも１つは、制限され、各々制限されたパラメータは、前記パラメータに対して利用可能なすべての値の間の１組の許可された値に制限されており、かつ前記第１および第２のパラメータに基づいてデータ伝送のために前記ＵＥに割り当てられた肯定応答（ＡＣＫ）リソースを決定するように構成される少なくとも１つのプロセッサを備える、装置。
［２９］前記第１のパラメータが、データ伝送のために前記ＵＥに分配された少なくとも１つの物理的リソースブロックの最小のインデックスを備える、［２８］の装置。
［３０］前記第２のパラメータは、データ伝送のために前記ＵＥに分配された参照信号列のサイクリックシフトを備え、前記第２のパラメータに対して許可された値の前記組はＭウェイの空間分割多元接続（ＳＤＭＡ）の０からＭ−１の範囲内の値を備え、Ｍが１またはそれより大きい、［２８］の装置。
［３１］前記第１のパラメータの連続する値は、利用可能なＡＣＫリソースの連続するインデックスにマッピングされ、前記第２のパラメータの許可された各々の値は、異なるスタートのＡＣＫリソースのインデックスに関係する、［２８］の装置。
［３２］前記第２のパラメータの１番目に許可された値に対して、前記第１のパラメータの連続的に増加する値は、最小のＡＣＫリソースのインデックスでスタートする利用可能なＡＣＫリソースの連続的に増加するインデックスにマッピングされ、前記第２のパラメータの２番目に許可された値に対して、前記第１のパラメータの増加する値は、最大のＡＣＫリソースのインデックスからスタートする前記利用可能なＡＣＫリソースの連続的に減少するインデックスにマッピングされる、［２８］の装置。
［３３］前記少なくとも１つのプロセッサは、前記ＵＥに分配するラジオリソースの最小量を示す第３のパラメータを決定し、さらに前記第３のパラメータに基づいてＡＣＫリソースを決定するよう構成される、［２８］の装置。
［３４］前記少なくとも１つの前記プロセッサは、利用可能なＡＣＫリソースの量を示す第４のパラメータを得るように、利用可能なラジオリソースの量を示す第５のパラメータを得るように、および前記第４および第５のパラメータに基づいて前記第３のパラメータを決定するように構成される、［３３］の装置。
［３５］データ伝送のためにユーザ装置（ＵＥ）に分配されたラジオリソースを示す第１のパラメータを少なくとも１つのコンピュータに得るようにさせるためのコードと、
データ伝送のために前記ＵＥに割り当てられた他のリソースを表す第２のパラメータを少なくとも１つのコンピュータに得させるためのコードであって、前記第１および前記第２のパラメータの少なくとも１つが制限され、各々制限されたパラメータは、前記パラメータに対して利用可能な全ての値の中の１組の許可された値に制限される、コードと、
第１および第２のパラメータに基づいてデータ伝送のために前記ＵＥに分配される肯定応答（ＡＣＫ）リソースを少なくとも１つのコンピュータに決定させるコードと
を備えるコンピュータ読み取り可能な媒体を備える、コンピュータプログラム製品。
【図１】
0005431456.tif 000134
【図２】
0005431456.tif 000135
【図３】
0005431456.tif 000136
【図４】
0005431456.tif 000137
【図５】
0005431456.tif 000138
【図６】
0005431456.tif 000139
【図７】
0005431456.tif 000140
【図８】
0005431456.tif 000141
【図９】
0005431456.tif 000142
【図１０】
0005431456.tif 000143
【図１１】
0005431456.tif 000144